(57)【要約】例えば接続の１つ上で単一のメッセージを送信することによって、複数の接続（無線リンク）に対してパラメータ切り替えポイントを示すための方法および装置が説明される。少なくとも１つの接続に対応する基地局は、接続間の適切なタイミング関係を考慮し、接続の１つを選択し、その接続に関する意図されたパラメータ切り替えポイントを選択し、他の無線リンクの他の意図された切り替えポイントが、選択されたリンクに対するオフセットを示す情報から無線端末によって曖昧性なしに解釈されることができるように、選択された切り替えポイントからシンボル時間オフセットを決定し、かつオフセットおよび前記オフセットが関係する無線リンクを示す情報を通信する。無線端末は、情報を受信し、識別された無線リンクのタイミング構造に対して基準にされた時間を識別し、次に他の無線リンクに関する個別のパラメータ切り替えポイントを決定する。
2009521851.tif 000002
【特許請求の範囲】
【請求項１】
パラメータ切り替えポイント情報を受信しかつ処理するために無線端末を動作する方法、該方法は下記を備える：
前記無線端末に対応する複数の無線通信リンクの少なくとも１つの無線通信リンク上で、切り替えポイントからオフセットされたポイントを示すパラメータ切り替えポイント情報を受信すること；
前記複数の無線通信リンクの１つである第１の無線通信リンクに対応する前記受信されたパラメータ切り替えポイント情報から、時間における基準ポイントを決定すること；および、
個別のパラメータ切り替えポイントを決定すること、ここにおいて、該決定された個別のパラメータ切り替えポイントは、前記複数の無線通信リンクの異なる各々に対応する。
【請求項２】
請求項１に記載の方法、ここにおいて、
個別のパラメータ切り替えポイントを決定することは、前記決定された基準ポイントと、前記複数の無線通信リンクの中の前記対応する各々に関する、可能性があるパラメータ切り替えポイントとの間の所定の関係に基づく。
【請求項３】
請求項２に記載の方法、ここにおいて、
前記個別のパラメータ切り替えポイントを決定することは、前記個別のパラメータ切り替えポイントを決定するための関数を使用することを含み、前記関数は、前記所定の関係に従ってかつモジュラー算術計算を使用して実装される。
【請求項４】
請求項２に記載の方法、ここにおいて、前記個別のパラメータ切り替えポイントを決定することは、個別のパラメータ切り替えポイントが決定される前記複数の無線通信リンクの中の前記一つに対応する、最後の先行する可能性があるパラメータ切り替えポイントを選択することを含む。
【請求項５】
可能性があるパラメータ切り替えポイントは、スーパースロット境界である請求項４に記載の方法。
【請求項６】
請求項２に記載の方法、ここにおいて、
前記パラメータ切り替えポイント情報を受信するステップは、前記第１の無線通信リンクに関連して参照されるタイミング情報を受信することを含む。
【請求項７】
前記タイミング情報を受信することは、スーパースロット識別子およびシンボル時間識別子を含む請求項６に記載の方法。
【請求項８】
請求項６に記載の方法、ここにおいて、
パラメータ切り替えポイント情報を受信することは、どの通信リンクが前記第１の無線通信リンクであるかを識別する情報を受信することを含む。
【請求項９】
どの通信リンクが前記第１の無線通信リンクであることを識別する前記情報は、接続識別子を含む請求項８に記載の方法。
【請求項１０】
請求項１に記載の方法、ここにおいて、
前記パラメータ切り替えポイント情報を受信するステップは、第１の無線通信リンク、前記第１の無線通信リンクに関連して参照されるタイミング情報を受信することを含む。
【請求項１１】
さらに下記を備える請求項６に記載の方法：
前記タイミング情報が受信された前記通信リンクに基づき、どの通信リンクが、前記受信されたタイミング情報が対応する前記第１の通信リンクであるかを決定すること。
【請求項１２】
さらに下記を備える請求項１に記載の方法：
複数の通信リンクに関連して古いパラメータを使用することから新しいパラメータを使用することへ切り替えること、ここで前記切り替えることは、前記リンクに対応しかつ格納された切り替えプロトコル情報に対応する前記決定された切り替えポイントを使用して各リンク毎に生じる。
【請求項１３】
請求項９に記載の方法、ここにおいて、
前記パラメータは、暗号パラメータであり、前記切り替えることは、前記暗号パラメータが変更することを許容される暗号境界に対応する時点で、各リンク上で生じる。
【請求項１４】
前記パラメータは、暗号キー、要求辞書インジケータ、およびスクランブリングマスクのうちの１つである請求項２に記載の方法。
【請求項１５】
前記パラメータは、アップリンクおよびダウンリンクの両方で使用される請求項１４に記載の方法。
【請求項１６】
下記を備える無線端末：
前記無線端末に対応する複数の無線通信リンクの中の少なくとも１つの上で、切り替えポイントからオフセットされたポイントを示すパラメータ切り替えポイント情報を受信する受信器；
前記複数の無線通信リンクの中の第１のものに対応する時間における基準ポイントを、前記受信されたパラメータ切り替えポイント情報から決定する基準ポイント決定モジュール；および、
前記決定された基準ポイントから個別のパラメータ切り替えポイントを決定する切り替えポイント決定モジュール、ここで決定された個別のパラメータ切り替えポイントの各々は、前記複数の無線通信リンクの中の異なる各々に対応する無線端末。
【請求項１７】
請求項１６に記載の無線端末、ここにおいて、
前記切り替えポイント決定モジュールは、前記決定された基準ポイントと、前記複数の無線通信リンクの中の前記対応するものに関する可能性があるパラメータ切り替えポイントとの間の所定の関係に基づく。
【請求項１８】
請求項１７に記載の方法、ここにおいて、
個別のパラメータ切り替えポイントを前記決定することは、前記個別のパラメータ切り替えポイントを決定するための関数を使用することを含み、前記関数は、前記所定の関係に従ってかつモジュラー算術計算を使用して実装される。
【請求項１９】
さらに下記を含む請求項１７に記載の無線端末：
繰り返し通信リンクタイミング構造の中の可能性があるパラメータ切り替えポイントを示す格納された情報、ここで、
前記切り替えポイント決定モジュールは、個別のパラメータ切り替えポイントが決定される前記複数の無線通信リンクの中の前記１つに対応する、可能性があるパラメータ切り替えポイントを所定の方法で選択する。
【請求項２０】
請求項１９に記載の無線端末、ここにおいて、
可能性があるパラメータ切り替えポイントは、スーパースロット境界であり、前記所定の方法は、前記基準ポイントに先行する前記通信リンクで生じる前記最後の先行するスーパースロット境界を選択することを含む。
【請求項２１】
請求項１７に記載の無線端末、ここにおいて、
前記パラメータ切り替え情報は、前記複数の通信リンクの中の１つである第１の無線通信リンクに関連して参照されるタイミング情報を含み、前記受信されたタイミング情報は、スーパースロット識別子およびシンボル時間識別子を含む。
【請求項２２】
各リンク毎にタイミング同期を維持するリンクタイミングモジュールをさらに備える請求項２１に記載の無線端末。
【請求項２３】
前記複数のリンクの中のどれが、第１のリンクであるかを決定するリンク決定モジュールをさらに備える請求項１９に記載の無線端末。
【請求項２４】
請求項２３に記載の無線端末、ここにおいて、
前記リンク決定モジュールは、前記複数のリンクの中のどれが、前記受信されたパラメータ切り替え情報とともに含まれるリンク識別情報からの前記第１のリンクであるかを決定する。
【請求項２５】
請求項２３に記載の無線端末、ここにおいて、
前記リンク決定モジュールは、前記複数のリンクの中のどれが前記第１のリンクであるかを、前記受信されたパラメータ切り替え情報が無線端末に通信されたリンクに基づき決定する。
【請求項２６】
前記パラメータは、暗号キー、要求辞書インジケータ、およびスクランブリングマスクのうちの１つである請求項２３に記載の無線端末。
【請求項２７】
複数のパラメータ交換ポイントを無線端末に示すように基地局を動作する方法、ここにおいて、
前記複数のパラメータ切り替えポイントの中の異なる各々が、異なる無線通信リンクに対応し、前記無線通信リンクの各々が、反復タイミング構造を有し、前記示された複数の切り替えポイントの各々は、異なる複数の通信リンクの中の対応するものの反復タイミング構造内の位置に対応し、前記方法は下記を備える：
第１のリンクに対応する前記パラメータ切り替えポイントから時間オフセット１個分だけ時間においてオフセットされる、前記複数の前記通信リンク内の前記第１のリンクに関するオフセット時点を選択すること；および、
前記無線端末に対して前記オフセット時点を示す情報を送信すること。
【請求項２８】
請求項２７に記載の方法、ここにおいて、
第１のリンクに関するオフセット時点を選択することは、下記を含む：
前記第１のリンクに対応する前記パラメータ切り替えポイントから、少なくとも１つのシンボル時間周期だけオフセットされる前記第１のリンクの前記タイミング構造で生じる時間を選択すること。
【請求項２９】
請求項２８に記載の方法、ここにおいて、
前記複数の異なる無線通信リンク内の追加の無線通信リンクの各々に関する時間における前記切り替えポイントは、前記選択されたオフセット時点からさらに少なくとも１つのシンボル時間周期だけオフセットされる。
【請求項３０】
前記オフセット時点が、前記通信リンクの中のどれに対応するかを示す情報を前記無線端末に送信することをさらに備える請求項２９に記載の方法。
【請求項３１】
請求項２９に記載の方法、ここにおいて、
前記オフセット時点を示す前記情報を前記無線端末に送信することは、下記を含む：
前記オフセット時点が前記複数のリンクの中のどれに対応するかを識別する明らかな情報を送信することなく、前記示されたオフセット時点が対応する前記第１のリンク上で時間における前記オフセット時点を示す前記情報を送信すること。
【請求項３２】
請求項２９に記載の方法、ここにおいて、
前記複数の通信リンクに関する前記パラメータ切り替えポイントは、前記複数の通信リンクの繰り返しタイミング構造内の事前に選択されたタイミング境界で生じるように制限される。
【請求項３３】
前記事前に選択されたタイミング境界は、固定された時間間隔で生じる請求項３２に記載の方法。
【請求項３４】
前記事前に選択されたタイミング境界は、少なくとも１０１個のＯＦＤＭシンボル送信時間周期だけ離間されるスーパースロット境界である請求項３３に記載の方法。
【請求項３５】
異なるリンクの前記スーパースロット境界は、互いからオフセットされる請求項３４に記載の方法。
【請求項３６】
前記シンボル時間周期は、ＯＦＤＭシンボルを送信するために使用される時間周期である請求項３２に記載の方法。
【請求項３７】
前記複数の通信リンクは、ダウンリンクの通信リンクであり、前記複数の通信リンクの各々に関する前記ダウンリンクのタイミング構造は、同一である請求項３２に記載の方法。
【請求項３８】
前記複数の通信リンクの各々に関する前記事前に選択されたタイミング境界は、互いからオフセットされる請求項３７に記載の方法。
【請求項３９】
前記複数のリンクは、非同期通信リンクである請求項２９に記載の方法。
【請求項４０】
請求項２９に記載の方法、ここにおいて、
前記送信することは、前記第１のリンクの前記反復タイミング構造内の可能性がある切り替えポイント間の前記周期の少なくとも５倍だけ、前記第１のリンクに対応する前記切り替えポイントに先行する前記選択されたオフセット時点よりも前の時点で実行される。
【請求項４１】
請求項４０に記載の方法、ここにおいて、
前記送信することは、特定の反復タイミング構造に対応する前記リンクについて使用される前記反復タイミング構造内の可能性がある切り替えポイント間の前記周期の少なくとも５倍だけ、前記異なる複数の通信リンクの中の異なる各々に対応する前記複数の切り替えポイントの各々に先行する前記選択されたオフセット時点よりも前の時点で実行される。
【請求項４２】
前記送信することは、接続識別子、スーパースロット識別子、およびシンボル時間識別子を送信することを含む請求項２９に記載の方法。
【請求項４３】
請求項２９に記載の方法、ここにおいて、
前記複数の異なる通信リンクの各々に対応する各切り替えポイントは、前記選択されたオフセット時点に対する所定の関係を有する。
【請求項４４】
請求項４３に記載の方法、ここにおいて、
前記所定の関係は、前記複数の異なる通信リンクの各々について、該リンクに関する前記切り替えポイントが、前記選択されたオフセット時点の直前の該リンクに関する可能性がある切り替えポイントであることである。
【請求項４５】
異なるリンクに対応する前記複数のパラメータ切り替えポイントは、同一のパラメータに関する切り替えポイントを表す請求項２９に記載の方法。
【請求項４６】
前記パラメータは、暗号キー、要求辞書インジケータ、およびスクランブリングマスクのうちの１つである請求項４５に記載の方法。
【請求項４７】
通信システムで使用するための基地局であって、無線端末は、複数の通信リンクを有することができ、各前記無線通信リンクは、反復タイミング構造を有し、前記基地局は下記を備える：
時間オフセット１個分だけ第１のリンクに対応するパラメータ切り替えポイントから時間においてオフセットされる、前記複数の前記通信リンク内の前記第１のリンクに対するオフセット時点を選択するためのオフセット時点選択モジュールであって、前記時間オフセットは、複数の切り替えポイントを示す際の使用のために選択され、各切り替えポイントは、前記複数の異なる通信リンクの中の対応する１つの反復タイミング構造内の位置に対応する；および、
前記無線端末に対する前記オフセット時点を示し、それによって複数のパラメータ切り替えポイントを前記無線端末に示す情報を送信する送信モジュール、ここで、前記複数のパラメータ切り替えポイントの中の異なる各々が、異なる無線通信リンクに対応する。
【請求項４８】
請求項４７に記載の基地局、ここにおいて、
前記選択モジュールは、前記第１のリンクに対応する前記パラメータ切り替えポイントから少なくとも１つのシンボル時間周期だけオフセットされる前記第１のリンクの前記タイミング構造で生じる時間を選択することによって、前記第１のリンクに関連するオフセット時点を選択する。
【請求項４９】
請求項４８に記載の基地局、ここにおいて、
前記複数の異なる無線通信リンク内の追加の無線通信リンクの各々に関する時間における前記切り替えポイントは、前記選択されたオフセット時点からさらに少なくとも１つのシンボル時間周期だけオフセットされる。
【請求項５０】
さらに下記を備える請求項４９に記載の基地局：
前記オフセット時点が、前記通信リンクの中のどれに対応するかを示す情報を前記無線端末に送信するために、前記送信器モジュールを制御する送信制御モジュール。
【請求項５１】
請求項４９に記載の基地局、ここにおいて、
前記送信モジュールは、前記第１の通信リンクに対応し、前記オフセット時点が前記複数のリンクの中のどれに対応するかを識別する明らかな情報を送信することなく、前記示されたオフセット時点が対応する前記第１のリンク上で、前記オフセット時点を示す前記情報を送信する。
【請求項５２】
請求項４９に記載の基地局、ここにおいて、
前記複数の通信リンクに関する前記パラメータ切り替えポイントは、前記複数の通信リンクの繰り返しタイミング構造内の事前に選択されたタイミング境界で生じるように制限される。
【請求項５３】
前記事前に選択されたタイミング境界は、固定された時間間隔で生じる請求項５２に記載の基地局。
【請求項５４】
前記事前に選択されたタイミング境界は、少なくとも１０１個のＯＦＤＭシンボル送信時間周期だけ離間されるスーパースロット境界である請求項５３に記載の基地局。
【請求項５５】
複数の異なるリンクの前記スーパースロット境界は、互いからオフセットされる請求項５４に記載の基地局。
【請求項５６】
前記シンボル時間周期は、ＯＦＤＭシンボルを送信するために使用される時間周期である請求項５２に記載の基地局。
【請求項５７】
請求項５２に記載の基地局、ここにおいて、
前記複数の通信リンクは、ダウンリンクの通信リンクであり、前記複数の通信リンクの各々に関する前記ダウンリンクのタイミング構造は同一である。
【請求項５８】
前記複数の通信リンクの各々に関する前記事前に選択されたタイミング境界は、互いからオフセットされる請求項５７に記載の基地局。
【請求項５９】
前記複数のリンクは、非同期通信リンクである請求項４９に記載の基地局。
【請求項６０】
請求項４９に記載の基地局、ここにおいて、
前記送信モジュールは、前記第１のリンクの前記反復タイミング構造内の可能性がある切り替えポイント間の前記周期の少なくとも５倍だけ、前記第１のリンクに対応する前記切り替えポイントに先行する前記選択されたオフセット時点よりも前の時点での前記選択されたオフセット時点を示す前記情報を送信する。
【請求項６１】
請求項６０に記載の基地局、ここにおいて、
前記送信モジュールは、特定の反復タイミング構造に対応する前記リンクに使用される前記反復タイミング構造内の可能性がある切り替えポイント間の前記周期の少なくとも５倍だけ、前記複数の異なる通信リンクの中の異なる各々に対応する前記複数の切り替えポイントの各々に先行する前記選択されたオフセット時点よりも前の時点で前記情報を送信する。
【請求項６２】
前記送信される情報は、接続識別子、スーパースロット識別子、およびシンボル時間識別子を含む請求項４９に記載の基地局。
【発明の詳細な説明】
【技術分野】
【０００１】
本発明は、通信システムに関し、より詳細には、例えば、複数の同時無線リンク（ｍｕｌｔｉｐｌｅ  ｃｏｎｃｕｒｒｅｎｔ  ｗｉｒｅｌｅｓｓ  ｌｉｎｋ）をサポートする無線端末を含む無線通信ネットワーク内のパラメータ切り替えポイント情報（ｐａｒａｍｅｔｅｒ  ｓｗｉｔｃｈｉｎｇ  ｐｏｉｎｔ  ｉｎｆｏｒｍａｔｉｏｎ）を決定しかつ／または通信するための方法および装置に関する。
【背景技術】
【０００２】
無線通信システムにおいて、一般的に、動作の間に変更される必要がある制御パラメータが存在する。これらパラメータのいくつかは、接続および論理リンク層の動作を規定するときに使用される。１つのそのようなタイプのパラメータは、キー、例えば暗号キーである。無線端末が、単一の同時接続だけをサポートし、かつパラメータ切り替えポイントが、繰り返すタイミング構造（ｒｅｃｕｒｒｉｎｇ  ｔｉｍｉｎｇ  ｓｔｒｕｃｔｕｒｅ）内の所定のポイントに制限される無線通信システムにおいて、パラメータ切り替えをいつ実行するか、例えば、メッセージが、基地局アタッチメントポイント（ｂａｓｅ  ｓｔａｔｉｏｎ  ａｔｔａｃｈｍｅｎｔ  ｐｏｉｎｔ）によって使用される反復タイミング構造におけるスーパースロット境界（ｓｕｐｅｒｓｌｏｔ  ｂｏｕｎｄａｒｙ）をいつ識別するかを曖昧性の無い様に（ｕｎａｍｂｉｇｕｏｕｓｌｙ）通信するパラメータ変更メッセージが、送信されることができる。
【０００３】
システムは、無線端末が、無線端末および／または基地局で時間において同期されないことがある複数の無線通信リンクを、同時に維持することを可能にする場合、いつパラメータが、無線通信リンクの個別の無線通信リンクで変更されるべきかを、シグナリングすることは、単一の無線接続に関して実装されるべきパラメータ変更ポイントに対するシグナリングの場合より非常に複雑である。
【０００４】
無線端末が、同時に複数の無線通信リンクをサポートすることがあるシステムの実装を容易にするために、切り替えられる必要がある同じパラメータを使用して、複数の接続に対応するシグナリングパラメータ切り替えポイントを提供する新規な方法および装置の必要性がある。無線リンクリソース（ａｉｒ  ｌｉｎｋ  ｒｅｓｏｕｒｃｅ）を節約するより効率的なシグナリング技術を容易にする方法および装置が、有用である。複数の接続の各々について、その接続に対して実装される反復タイミング構造に関連するパラメータ切り替えポイントに関して、基地局アタッチメントポイントおよび無線端末による曖昧性のない理解を提供する方法および装置が、有用である。
【発明の開示】
【発明の概要】
【０００５】
本発明は、パラメータ切り替えポイントを決定し、かつ／またはパラメータ切り替えポイント情報を通信する方法および装置に向けられる。本発明の方法および装置は、無線端末が、複数の同時無線通信リンクをサポートすることができるシステムに特に好適である。無線通信リンクは、タイミング同期され、またはタイミング同期されないかもしれない。実際、タイミング同期が、複数の通信リンクに関して基地局において存在しても、タイミング同期は、無線端末と、通信リンクが対応する様々な異なる物理的アタッチメントポイントとの間の異なる送信距離に起因して、通信リンクに関する無線端末において存在しない可能性がある。
【０００６】
時として無線リンクとも呼ばれる無線通信リンクは、接続と呼ばれる。接続は、例えば無線端末と基地局の物理的アタッチメントポイントとの間であり得る。無線リンクは、通常、エアリンク接続として実施される。無線リンクが対応する基地局の物理的アタッチメントポイントは、少なくとも局所的に、１つの物理層識別子または物理層識別子の組合せによって識別されることができる。そのような物理層識別子は、例えば、セル識別子、セクタまたはセクタタイプ識別子、および／またはキャリアあるいはトーンブロック識別子（ｔｏｎｅ  ｂｌｏｃｋ  ｉｄｅｎｔｉｆｉｅｒ）を含むことができる。すべてではなくいくつかの実施形態において、セル識別子、セクタタイプ識別子、およびキャリアあるいはトーンブロック識別子の組合せは、物理的アタッチメントポイントを識別するために使用される。物理層識別子、または物理的アタッチメントポイントを識別するためにシステムで使用されることができる物理層識別子の組合せは、例えば、複数のセクタおよび／またはセクタ毎のキャリアがサポートされる場合、システム実装に応じて変更することができる。
【０００７】
複数の無線リンクは、同じリンク層のリンクに対応することができることは、理解されるべきである。例えば、単一のリンク層コントローラを使用して実施される基地局の異なるセクタは、同一のリンク層のリンクに対応する異なるセクタの物理的アタッチメントポイントを有することができる。同様に、セクタが、それぞれの物理層からの異なる物理的アタッチメントポイントにそれぞれ対応する、複数のキャリアまたはトーンブロックをサポートするとき、異なるキャリアまたはトーンブロックに対応する物理的アタッチメントポイントは、同一のリンク層コントローラの下で動作することができるが、必ずしもその必要はない。このように、複数の物理層アタッチメントポイントは、同一のリンク層のリンクに対応することができる。複数の物理的アタッチメントポイントは、単一のリンク層のリンクに対応することができるが、通常、同一の無線端末によって同時に使用される複数のリンク層のリンクは、同一の物理層アタッチメントポイントに対応しない。
【０００８】
複数の同時無線リンクが同一のリンク層のリンクまたは基地局に対応するときでも、タイミング同期が、複数の同時無線リンクに関して存在しない可能性は、現在のリンク上で通信される情報を処理するために使用されるパラメータが、いつ複数の同時リンク内の個別無線リンクに対して変更されるべきかを、通信する問題を複雑にする。例えば、異なる物理層アタッチメントポイントに対応する複数の無線リンク（接続）であるが、同一の論理リンクに使用される暗号パラメータが、変更されるべきであるときに、問題に遭遇することがある。上述のように、複数の異なる同時接続は、互いに完全に同期されることができるが、しばしば完全に同期されない。それらが、完全に同期されないとき、パラメータ変更の実装は、完全なタイミング同期がないことに起因して、異なるリンクの上でしばしば異なる。
【０００９】
無線端末が、複数の異なる基地局セクタのアタッチメントポイントとの複数の同時の無線通信接続をサポートする無線通信システムにおいて、基地局および無線端末の両方が、各無線リンクに対応して使用されるタイミング構造に関してどのパラメータ（古いまたは新しい）を任意の所定の時間で使用するべきかに関して同じ理解を有するように、曖昧性の無いようにパラメータ切り替え情報を通信することは、問題があり得る。例えば、同一のパラメータが、複数の接続上での通信に関して使用されることができ、かつ切り替えられる必要があるかもしれないと考えよう。異なる基地局セクタのアタッチメントポイントが、同期化されないかもしれないと考えよう。さらに、一方の基地局に関するタイミング構造が、他方の基地局に対するタイミング構造に対してドリフトするように、異なる基地局が、互いに無関係なタイミングであり得ることを考慮する。さらに、異なる基地局セクタのアタッチメントポイントに対する無線端末の位置が、例えば信号経路遅延の差異に起因して、各基地局セクタのアタッチメントポイントに関する同期化に影響する。そのような状況下で、異なる基地局セクタのアタッチメントポイント間のタイミングオフセットの無線端末の認識が、基地局の理解と異なることがある。
【００１０】
そのような場合、第１の接続に関連してパラメータ切り替えポイントをスーパースロット境界であるとして識別する基地局から送られる単一のパラメータ変更メッセージを使用することは、他方の接続に対して曖昧であり得る。しかしながら、複数のパラメータ切り替えメッセージを（例えば、各接続ごとに一つずつ）送ることは、エアリンクリソースの使用に関して非効率である。さらに、複数のパラメータ切り替えメッセージの一部が、首尾よく受信され、一方、他がそうでないなら、これは、例えば特に時間に敏感な（ｔｉｍｅ  ｓｅｎｓｉｔｉｖｅ）ユーザデータが、複数の接続にわたって分割される場合、切り替え動作に問題を生じることがある。
【００１１】
本発明の様々な実施形態は、無線端末が、同時に無線端末によって維持される複数の無線リンクに関連して使用されるパラメータを変更するために適切な時間を決定することができるように、無線端末に十分な情報を通信するために単一のメッセージを使用する方法および装置に向けられる。単一のメッセージは、変更されるべきパラメータを識別することができ、またはメッセージが関係するパラメータが、例えばメッセージが送信される時間、またはいくつかの他の情報から知られることができる。
【００１２】
本発明のいくつかの実施形態は、無線端末に複数のパラメータ切り替えポイントを示すために基地局を動作することに向けられ、前記複数のパラメータ切り替えポイントの中の異なる各々は、異なる無線通信リンクに対応する。様々な実施形態における無線通信リンクは、反復タイミング構造、例えばアップリンクおよび／またはダウンリンクタイミング構造を有する。示された切り替えポイントは、パラメータ切り替えが実装されることができる複数の異なる通信リンクの中の対応するものの反復タイミング構造内の位置、例えばスーパースロットに対応する。
【００１３】
１つの特定の例示的な実施形態において、基地局の視点（ｐｅｒｓｐｅｃｔｉｖｅ）から、該方法は、無線端末との複数の同時通信リンクの中の第１のリンクに関連するオフセット時点を選択することを含み、選択されたオフセット時点は、第１のリンクのパラメータ切り替えポイントから時間オフセット１個分だけ時間においてオフセットされる。基地局は、次に、前記複数の同時通信リンクに対応するパラメータ切り替えポイントの決定において、無線端末による使用のために無線端末にオフセット時点を示す情報を送信する。異なるリンクに関して、例えば各リンク毎に決定される時間における切り替えポイントは、異なる無線リンクに使用される無線リンクの同期、および／または反復タイミング構造における差異のために異なることがある。
【００１４】
本発明の様々な特徴は、パラメータ切り替えポイント情報を受信しかつ処理し、また複数の異なる無線リンクに関連するパラメータを変更するための適切な時間を、メッセージ内で受信された情報から決定するために、無線端末を動作する方法および装置に向けられる。いくつかの実施形態において無線端末を動作する方法は、無線端末に対応する複数の無線通信リンクの少なくとも１つの上で、パラメータ切り替えポイント情報を受信することを含み、ここにおいて、受信された切り替えポイント情報は、該複数の無線リンクの中の第１のものに使用されるパラメータ切り替えポイントからオフセットされたポイントを示す。無線端末は、第１の無線通信リンクに対応する受信されたパラメータ切り替えポイント情報から、時間における基準ポイントを決定し、前記第１の無線通信リンクは、前記複数の無線通信リンクの中の１つである。さらに受信された情報から、無線端末は、続いて複数の個別のパラメータ切り替えポイントを決定し、決定された個別のパラメータ切り替えポイントの各々は、前記複数の無線通信リンクの中の異なる各々に対応する。異なる無線リンク間のタイミング同期化の第１のリンクに対して相対的な差異に関する情報は、いつ、第１のリンク以外のリンクの切り替えポイントが実装されるべきであるかに関する決定を下す際に使用されることができる。異なるリンクに関連する反復タイミング構造、および許容可能な切り替えポイントの位置から見た差異が（もし有れば）、考慮され、かつ様々な個別の無線リンクに使用されるパラメータ切り替えポイントの決定において無線端末によって使用されることもできる。
【００１５】
本発明の例示的な実施形態が、以下に説明される。他の実施形態も可能である。例示的な実施形態において、無線端末は、複数の基地局アタッチメントポイントとの複数の同時接続を有し、基地局アタッチメントポイントの各々は、基地局セル、セクタ、およびダウンリンクのトーンブロックに対応する。各接続は、構造内に可能性があるパラメータ切り替えポイントを含むタイミング構造、例えばスーパースロット境界に関連付けられる。無線端末の視点から、複数の同時接続に対応するタイミング構造は、例えば、基地局のセクタ送信器に関する同期化の欠如に起因するか、受信器の処理遅延の差異に起因するか、および／または経路遅延の差異に起因して、必ずしも同期化されない。複数の同時無線リンク上の通信に使用されるパラメータ、例えば暗号キーが、切り替えられるべきである。例えば、いくつかの実施形態において暗号キーは、同一の論理リンクに対応する同一の無線端末のための複数の接続に使用される。例えばいくつかの実施形態において、時として、通信されるべきユーザデータのパケットは、複数の接続の間で、ある程度の冗長性をもって分割され、かつ／または通信される。セクタのアタッチメントポイントの１つに対応する基地局は、接続間の適切なタイミング関係を考慮し、無線リンクの１つを選択し、スーパースロット境界でその無線リンクのために意図されるパラメータ切り替えポイントを選択し、他の無線リンクの他の意図される切り替えポイントが無線端末によって曖昧性の無いように解釈されるように、選択されたスーパースロット境界からのシンボル時間オフセットを決定し、かつパラメータ切り替えポイント情報を通信する。いくつかの実施形態において、パラメータ切り替えポイント情報は、接続識別子、スーパースロット識別子、およびシンボル時間オフセットを含む。いくつかの実施形態において、パラメータ切り替えポイント情報が通信される無線リンクは、通信されたタイミング情報が参照されている接続であると認識する無線端末とは、接続識別子はやり取りされない。無線端末は、識別される接続のタイミング構造に関連して参照される時間を識別する通信された切り替えポイントのパラメータ情報を受信する。無線端末は、接続に関して、例えば複数の接続の中の各接続に関して、時間基準に対する意図された切り替えポイントの所定の合意された関係を使用するパラメータ切り替えポイントを識別する。関数、例えば無線端末および基地局にとって既知である所定のまたはプログラムされた関数は、所定の合意された関係を実装するために使用されることができる。いくつかの実施形態において、パラメータ切り替えポイントは、識別された基準時間よりも前の最後の先行するスーパースロット境界である。各接続に関して、無線端末は、接続およびパラメータ切り替えプロトコルルールに対応する決定されたパラメータ切り替えポイント時間を使用して、パラメータ切り替えを実装する。
【００１６】
様々な実施形態が、上記の概要で議論されたが、すべての実施形態が必ずしも同一の特徴を含む必要がなく、上述のいくつかの特徴が、必ずしも必要ではないがいくつかの実施形態では望ましいことがあることが理解されるべきである。本発明の多数の追加の特徴、実施形態、および利点が、以下の詳細な説明で議論される。
【詳細な説明】
【００１７】
図１は、複数のセル、セル１  １０２、セルＭ  １０４を含む、本発明により実施される例示的な通信システム１００を示す。例示的なシステム１００は、例えば多重アクセスＯＦＤＭシステムなどの例示的なＯＦＤＭスペクトル拡散無線通信システムである。例示的なシステム１００の各セル（１０２、１０４）は、３つのセクタを含む。本発明により複数のセクタに分割されていないセル（Ｎ＝１）、２つのセクタを有するセル（Ｎ＝２）、および３つ以上のセクタを有するセル（Ｎ＞３）も可能である。各セクタは、１つ以上のキャリア、および／またはダウンリンクのトーンブロックをサポートする。いくつかの実施形態において、少なくともいくつかのセクタは、３つのダウンリンクのトーンブロックをサポートする。いくつかの実施形態において、ダウンリンクのトーンブロックの各々に関して、対応するアップリンクのトーンブロックがある。セル１０２は、第１のセクタであるセクタ１  １１０、第２のセクタであるセクタ２  １１２、および第３のセクタであるセクタ３  １１４を含む。同様にセルＭ  １０４は、第１のセクタであるセクタ１  １２２、第２のセクタであるセクタ２  １２４、および第３のセクタであるセクタ３  １２６を含む。セル１  １０２は、基地局（ＢＳ）である基地局１  １０６、および各セクタ１１０、１１２、１１４内の複数の無線端末（ＷＴ）を含む。セクタ１  １１０は、それぞれ無線リンク１４０、１４２を介してＢＳ１０６に結合されるＷＴ（１）  １３６およびＷＴ（Ｎ）  １３８を含み、セクタ２  １１２は、それぞれ無線リンク１４８、１５０を介してＢＳ１０６に結合されるＷＴ（１’）  １４４およびＷＴ（Ｎ’）  １４６を含み、セクタ３  １１４は、それぞれ無線リンク１５６、１５８を介してＢＳ１０６に結合されるＷＴ（１”）  １５２およびＷＴ（Ｎ”）  １５４を含む。同様に、セルＭ１０４は、基地局Ｍ  １０８、および各セクタ１２２、１２４、１２６内の複数の無線端末（ＷＴ）を含む。セクタ１  １２２は、それぞれ無線リンク１８０、１８２を介してＢＳ  Ｍ  １０８に結合されるＷＴ（１””）  １６８およびＷＴ（Ｎ””）  １７０を含み、セクタ２  １２４は、それぞれ無線リンク１８４、１８６を介してＢＳ  Ｍ  １０８に結合されるＷＴ（１””’）  １７２およびＷＴ（Ｎ””’）  １７４を含み、セクタ３  １２６は、それぞれ無線リンク１８８、１９０を介してＢＳ  Ｍ  １０８に結合されるＷＴ（１”””）  １７６およびＷＴ（Ｎ”””）  １７８を含む。
【００１８】
システム１００は、また、それぞれネットワークリンク１６２、１６４を介してＢＳ  １  １０６およびＢＳ  Ｍ  １０８に結合されるネットワークノード１６０を含む。ネットワークノード１６０は、また、他のネットワークノード、例えば他の基地局、ＡＡＡサーバノード、中間ノード、ルータなど、およびネットワークリンク１６６を介してインターネットに結合される。ネットワークリンク１６２、１６４、１６６は、例えばファイバ光ケーブルであり得る。各無線端末、例えばＷＴ１  １３６は、送信器ならびに受信器を含む。無線端末の少なくともいくつか、例えばＷＴ（１）  １３６は、システム１００を通って移動することができ、かつ例えば基地局セクタのアタッチメントポイントを使用してＷＴが現在位置しているセル内の基地局と無線リンクを介して通信することができる移動体ノードである。無線端末（ＷＴ）、例えばＷＴ（１）１３６は、基地局、例えばＢＳ１０６、および／またはネットワークノード１６０を介して、システム１００内またはシステム１００の外にあるピアノード（ｐｅｅｒ  ｎｏｄｅ）、例えば他のＷＴと通信することができる。ＷＴ、例えばＷＴ（１）１３６は、セル電話、無線モデムを有する個人情報端末（ｐｅｒｓｏｎａｌ  ｄａｔａ  ａｓｓｉｓｔａｎｔ）などの移動体通信デバイスであり得る。
【００１９】
無線端末（１３６、１３８、１４４、１４６、１５２、１５４、１６８、１７０、１７２、１７４、１７６、１７８）は、異なる基地局セクタのアタッチメントポイントとの複数の同時接続をサポートする。セルＭのセクタ境界領域内に配置される例示的な無線端末（Ｎ””）１７０は、基地局Ｍのセクタ１のアタッチメントポイントとの一方の無線通信リンク１８２、および基地局Ｍのセクタ２のアタッチメントポイントとの他方の無線通信リンク１８３を有する。セル１  １０２とセルＭ  １０４との間のセル境界領域内に配置される例示的なＷＴ（Ｎ’）１４６は、基地局１のセクタ２のアタッチメントポイントとの一方の無線通信リンク１５０、および基地局Ｍのセクタ３のアタッチメントポイントとの他方の無線通信リンク１５１を有する。セル１のセクタ１内に配置される例示的なＷＴ（１）１３６は、基地局１のセクタ１のアタッチメントポイントとの一方の無線通信リンク１４０、および異なる基地局１のセクタ１のアタッチメントポイントとの他方の無線通信リンク１４１を有する。各基地局セクタのアタッチメントポイントは、基地局セル、セクタ、およびダウンリンクのトーンブロックに対応する。
【００２０】
いくつかの実施形態において、同期化は、互いについて、いくつかの基地局セクタのアタッチメントポイントについて存在し、一方、いくつかの基地局セクタのアタッチメントポイントは、互いに対して非同期である。例えばいくつかの実施形態において、同一の基地局セクタに対応する２つの異なるダウンリンクのトーンブロックに関して、基地局で正確な同期化が存在し、同一基地局の異なる隣接セクタに関して、例えば一つのシンボル送信時間周期内で、高いレベルの同期化が存在する。いくつかのそのような実施形態において、同一の基地局の２つのセクタ基地局送信器は、マイクロ秒に同期化される。前記例に続いて、異なる基地局の基地局セクタ送信器は、非同期である。
【００２１】
いくつかの実施形態において、同一セルの基地局セクタ送信器は、非同期である。いくつかの実施形態において、同一セルの同一セクタの異なる基地局セクタアタッチメントポイントに対応するが、異なるダウンリンクトーンブロックを使用するダウンリンクタイミング構造は、基地局で同期化される。いくつかの実施形態において、同一セルの同一セクタの異なる基地局セクタアタッチメントポイントに対応するが、異なるダウンリンクトーンブロックを使用するダウンリンクタイミング構造は、基地局で非同期である。
【００２２】
本発明により、基地局（１０６、１０８）は、１つ以上の無線通信リンクに関する、例えば無線端末、例えばＷＴ１７０またはＷＴ１５１、あるいはＷＴ１３６に対応する暗号キーなどのパラメータを切り替えることに関連するパラメータ切り替えポイントを決定し、かつ無線通信リンクの１つに関連して参照されるシンボル時間インデックス（ｓｙｍｂｏｌ  ｔｉｍｅ  ｉｎｄｅｘ）を含むオフセットを含む切り替えポイント情報を、無線端末に通信する。無線端末は、切り替えポイント情報を受信しかつ処理し、それぞれ１つ以上の無線通信リンクに対応する切り替えポイントを決定し、無線通信リンクの各々は、基地局セクタのアタッチメントポイントと無線端末との間の接続を示す。いくつかの実施形態において、切り替えられるパラメータは、同一の論理リンクに対応する複数の物理接続に使用されるパラメータに対応する。
【００２３】
いくつかの実施形態において、無線端末は、第１の論理リンクに対応する接続の第１の部分集合と、第２の論理リンクに対応する接続の第２の部分集合とを含む複数の同時の無線接続を有し、前記第１の部分集合および前記第２の部分集合は、重なり合わず、前記第１および第２の論理リンクは異なる。そのような実施形態において、切り替えられるされるパラメータは、第１の論理リンクおよび接続の第１の部分集合に対応するが、第２の論理リンクおよび接続の第２の部分集合に対応しないパラメータであることが可能である。いくつかのそのような実施形態において、そのような条件下で、基地局および無線端末によって実行される本発明によるパラメータ切り替え方法は、接続の第１の部分集合のタイミング構造に関連するが、接続の第２の部分集合のタイミング構造に関連しないタイミングを考慮する。
【００２４】
図２は、本発明により実施されかつ本発明の方法を使用する例示的な基地局２００の図である。例示的な基地局２００は、任意の図１の例示的な基地局（１０６、１０８）、図４の４０２、または図７の（７０２、７２４）であり得る。例示的な基地局２００は、様々な要素がデータおよび情報を交換するバス２１６を介して共に結合される、１つ以上のセクタ受信器モジュール（セクタ１受信器モジュール２０２、．．．、セクタＮ受信器モジュール２０４）、１つ以上のセクタ送信モジュール（セクタ１送信モジュール２０６、．．．、セクタＮ送信モジュール２０８）、プロセッサ２１０、Ｉ／Ｏインターフェース２１２、およびメモリ２１４を含む。
【００２５】
セクタ１受信器モジュール２０２、例えばＯＦＤＭセクタ受信器は、基地局が、基地局のセクタ１のアタッチメントポイントに向けられた無線端末からのアップリンク信号を受信するセクタ１の受信アンテナ２０３に結合される。セクタ１受信器モジュール２０２は、少なくともいくつかの受信されたアップリンク信号を復号するために使用される復号器２１８を含む。セクタＮ受信器モジュール２０４、例えばＯＦＤＭセクタ受信器は、基地局が、基地局のセクタＮのアタッチメントポイントに向けられた無線端末からのアップリンク信号を受信するセクタＮの受信アンテナ２０５に結合される。セクタＮ受信器モジュール２０４は、少なくともいくつかの受信されたアップリンク信号を復号するために使用される復号器２２０を含む。
【００２６】
セクタ１送信モジュール２０６、例えばＯＦＤＭセクタ送信器は、それを介して送信モジュールが、ダウンリンク信号を無線端末に送信するセクタ１の送信アンテナ２０７に結合される。セクタ１送信モジュール２０６は、送信前に少なくともいくつかのダウンリンクのデータ／情報を符号化するために使用される符号器２２２を含む。セクタＮ送信モジュール２０８、例えばＯＦＤＭセクタ送信器は、それを介して送信モジュールが、ダウンリンク信号を無線端末に送信するセクタＮの送信アンテナ２０９に結合される。セクタＮ送信モジュール２０８は、送信前に少なくともいくつかのダウンリンクのデータ／情報を符号化するために使用される符号器２２４を含む。送信モジュール（２０６、２０８）は、無線端末に、複数のパラメータ切り替えポイントを示すために、例えばパラメータ切り替えメッセージの一部として無線端末にオフセット時点を示す情報を送信するために使用され、該複数のパラメータ交換ポイントの異なる各々は、異なる無線通信リンク、例えば無線端末と基地局アタッチメントポイントとの間の異なる同時無線通信リンクに対応する。
【００２７】
Ｉ／Ｏインターフェース２１２は、基地局２００をインターネットおよび／または他のネットワークノード、例えば他の基地局、ルータ、ＡＡＡノード、ホームエージェントノード（ｈｏｍｅ  ａｇｅｎｔ  ｎｏｄｅ）などに結合する。Ｉ／Ｏインターフェース２１２は、バックホールネットワーク（ｂａｃｋｈａｕｌ  ｎｅｔｗｏｒｋ）へのインターフェースを提供し、このように、無線端末が、基地局２００のアタッチメントポイントを使用して、そのネットワークへの接続点として異なる基地局を使用する他の無線端末との通信セッション（ｃｏｍｍｕｎｉｃａｔｉｏｎ  ｓｅｓｓｉｏｎ）に参加することを可能にする。他の基地局、例えば隣接する基地局に関連するタイミング情報、例えば粗いタイミング情報が、いくつかの実施形態において、Ｉ／Ｏインターフェース２１２を介して通信される。このように、無線端末が、基地局２００と隣接する基地局との両方に接続され、かつ切り替えられるべきパラメータが、ＢＳ２００と隣接する基地局の両方に対応する無線接続に対して切り替えられるべきである場合に、パラメータ切り替えオフセットタイミングに関する決定を行うときに、基地局２００はこのタイミング情報を使用することが可能である。
【００２８】
メモリ２００は、ルーチン２２６およびデータ／情報２２８を含む。プロセッサ２１０、例えばＣＰＵは、ルーチン２２６を実行し、かつ基地局２００の動作を制御し、かつ本発明の方法を実行するために、メモリ２１４内のデータ／情報２２８を使用する。
【００２９】
ルーチン２２６は、通信ルーチン２３０および基地局制御ルーチン２３２を含む。通信ルーチン２３０は、基地局２００によって使用される通信プロトコルを実装する。基地局制御ルーチン２３２は、スケジューラモジュール２３４、オフセット時点選択モジュール２３６、パラメータ切り替えメッセージ生成モジュール２３８、および送信制御モジュール２４０を含む。
【００３０】
スケジューラモジュール２３４、例えばスケジューラは、複数の無線端末ユーザをスケジュールする。スケジューラモジュールは、無線端末にアップリンクおよびダウンリンクのセグメントを割り当てる。例えば、セクタおよびトーンブロックに対応する基地局の各アタッチメントポイントに関して、基地局スケジューラは、そのアタッチメントポイントを同時に使用する複数の無線端末間の利用可能なエアリンクリソースを分割する。
【００３１】
オフセット時点選択モジュール２３６は、時間オフセット１個分だけ第１のリンクに対応するパラメータ切り替えポイントから時間においてオフセットされる、複数の無線通信リンク内の第１のリンクに関連するオフセット時点を選択し、該時間オフセットは、複数の切り替えポイントを示す際の使用のために選択され、各切り替えポイントは、該複数の異なる通信リンクの中の対応する１つの反復タイミング構造内の位置に対応する。選択モジュール２３６は、少なくとも１つのシンボル時間周期だけ第１のリンクに対応するパラメータ切り替えポイントからオフセットされる、第１のリンクのタイミング構造内で生じる時間を選択することによって、第１のリンクに関連するオフセット時点を選択する。さらに、選択モジュール２３６は、無線端末に対応する該複数の無線リンクの中の追加の無線リンクの各々に関する時間における切り替えポイントが、少なくとも１つのシンボル時間周期だけ時間においてさらにオフセットされるように、その選択を実行する。
【００３２】
パラメータ切り替えポイントメッセージ生成モジュール２３８は、切り替え境界からの少なくとも１つのシンボル時間周期である第１のリンクに関するタイミングオフセットを含むパラメータ切り替えメッセージを生成する。例えば、例示的な一実施形態において、生成されたパラメータ切り替えメッセージは、スーパースロット識別子、シンボル時間識別子、およびリンク識別子を含む。いくつかの実施形態において、リンク識別子は、セル識別子、セクタタイプ識別子、およびトーンブロック識別子を含む接続識別子である。いくつかのそのような実施形態において、複数の同時接続を有する無線端末が、各接続に対応する独特な接続識別子を有するように、接続識別子はシステム内では局所的に一意である。いくつかの実施形態において、生成されたパラメータ切り替えメッセージは、スーパースロット識別子およびシンボル時間識別子を含むが、リンク識別子を含まない。いくつかの実施形態において、パラメータ切り替えメッセージは、より大きなメッセージの一部である。
【００３３】
送信制御モジュール２４０は、セクタ送信器モジュール（２０６、２０８）の動作を制御する。いくつかの実施形態において、前記オフセット時点が、前記複数の通信リンクの中のどれに対応するかを示す情報（例えば時間オフセットおよびリンク識別情報（例えば接続識別子）を含むパラメータ交換メッセージ）を無線端末に送信するために、送信制御モジュール２４０はセクタ送信器モジュール（２０６、２０８）を制御する。いくつかの実施形態において、送信制御モジュール２４０は、オフセット時点が、パラメータ切り替え情報を無線端末に通信するリンクであると特定されている第１のリンクに対応するセクタ送信器モジュールを使用するために基地局を制御する。このように、基地局が、オフセット時点が対応する複数のリンクの中のどれであるかを識別する明らかな情報（ｅｘｐｒｅｓｓ  ｉｎｆｏｒｍａｔｉｏｎ）を送信することなく、複数のリンクの中の第１のリンクの識別を通信することができる。
【００３４】
いくつかの実施形態において、送信モジュール、例えばセクタ１送信モジュール２０６は、第１のリンクに使用される反復タイミング構造内の可能性がある切り替えポイント間の周期の少なくとも５倍だけ、第１のリンクに対応する切り替えポイントに先行する選択されたオフセット時点よりも前の時点での選択されたオフセット時点を示す情報を送信する。例えば、いくつかの実施形態において、可能性がある切り替えポイントは、スーパースロット境界に対応し、該情報は、示された切り替えポイントよりも少なくともスーパースロット５個分だけ前の時点で最初に送信される。この意図された早期の初期送信は、メッセージが、無線端末によって首尾よく復元されない場合に、再送信の可能性を可能にする。いくつかの実施形態において、送信モジュール、例えばセクタ１送信モジュール２０６は、可能性がある切り替えポイント間の周期の少なくとも５倍だけ、無線端末で維持される複数の無線リンクの中の異なる各々に対応する各切り替えポイントに先行する選択されたオフセット時点よりも前の時点での選択されたオフセット時点を示す情報を送信する。いくつかの実施形態において、異なる無線通信リンクは、異なるタイミング構造および／または可能性がある切り替えポイント間の異なる周期を使用し、所定の無線リンクに関して、通信された切り替えポイント情報は、可能性がある切り替えポイント間の周期の少なくとも５倍だけ、切り替えポイントよりも前の時点で送信される。
【００３５】
いくつかの実施形態において、送信モジュール、例えばセクタ１送信モジュール２０６は、第１のリンクに使用される反復タイミング構造内の可能性がある切り替えポイント間の周期の少なくとも４０倍だけ、例えばスーパースロット４０個分だけ、第１のリンクに対応する切り替えポイントに先行する選択されたオフセット時点よりも前の時点での選択されたオフセット時点を示す情報を送信する。いくつかの実施形態において、送信される情報は、第１のリンクのための選択された切り替えポイントを、少なくともスーパースロット４０個分先まで、かつ多くともスーパースロット１４３個分先まで示す。
【００３６】
データ／情報２２８は、システムデータ／情報２４２および無線端末データ／情報２４４を含む。システムデータ／情報２４２は、基地局のセクタに対応する１つ以上の基地局セクタの情報の組（基地局セクタ１情報２４５、．．．、基地局セクタＮ情報２４６）と、切り替えプロトコル情報２４８とを含む。基地局セクタ１情報２４５は、アタッチメントポイント情報の１つ以上の組（アタッチメントポイント１情報２５０、．．．、アタッチメントポイントＮ情報）を含み、各アタッチメントポイント情報の組は、基地局セクタによって使用される異なるダウンリンクのトーンブロックに対応する。いくつかの実施形態において、ダウンリンクのトーンブロックの各々は、対応するアップリンクのトーンブロックを有する。アタッチメントポイント１情報は、識別情報２５４およびタイミング／周波数構造情報２５６を含む。識別情報２５４は、基地局セル、セクタ、トーンブロックおよび／またはキャリア識別情報を含む。いくつかの実施形態において、基地局の識別情報の少なくともいくつかは、ビーコンおよび／またはパイロット信号などのダウンリンクのブロードキャスト信号を介して通信される。タイミング／周波数構造情報２５６は、ダウンリンクおよびアップリンクのタイミング、ならびに周波数構造情報を含む。いくつかの実施形態において、所定のアタッチメントポイントに関して、ダウンリンクのトーンブロック、ダウンリンクのチャネル構造、ダウンリンクのトーンホッピング・シーケンシング（ｄｏｗｎｌｉｎｋ  ｔｏｎｅ  ｈｏｐｐｉｎｇ  ｓｅｑｕｅｎｃｉｎｇ）、および反復パターンに従うダウンリンクのタイミング構造が存在する。さらに、アップリンクのトーンブロック、アップリンクのチャネル構造、アップリンクのトーンホッピング・シーケンシング（ｄｏｗｎｌｉｎｋ  ｔｏｎｅ  ｈｏｐｐｉｎｇ  ｓｅｑｕｅｎｃｉｎｇ）、および反復パターンに従うアップリンクのタイミング構造が存在する。いくつかのそのような実施形態において、所定のアタッチメントポイントに関して、アップリンクおよびダウンリンクのタイミング構造は、例えば、基地局で固定されたタイミングオフセットを介してともに結合される。タイミング周波数構造情報２５６は、スーパースロット境界情報２５８を含む。様々な実施形態において、通信リンクに関して可能性があるパラメータ切り替えポイントは、通信リンクによって使用される事前に選択されたタイミング境界で生じることに制限される。いくつかの実施形態において、事前に選択されたタイミング境界は、固定された時間間隔で生じる。いくつかの実施形態において、事前に選択されたタイミング境界は、少なくとも１０１個のＯＦＤＭシンボル送信時間間隔だけ、例えば１１４個のＯＦＤＭシンボル送信時間間隔だけ離間されるスーパースロット境界である。
【００３７】
例えば基地局セクタおよびトーンブロックに対応する、所定のアタッチメントポイントに関するダウンリンクのタイミング構造は、他の基地局セクタおよびトーンブロックに対して同一または異なることがある。いくつかの実施形態において、時として、同一の無線端末との接続に対応する異なるリンクのスーパースロット境界は、互いにオフセットされる。例えば、基地局での各セクタは、同一の基本的なダウンリンクのタイミング構造を使用することができるが、２つのリンクに関するスーパースロット境界が、互いに対してオフセットされるように、隣接する基地局セクタに対して一方の基地局セクタからのオフセットが存在し得る。
【００３８】
切り替えプロトコル情報２４８は、パラメータ、例えば暗号キー、スクランブリングマスク識別子、要求辞書インジケータなどの変更に関して、パラメータ切り替えルールを実装するために使用される情報を含む。例えば、パラメータ切り替えメッセージは、異なるリンクに関連する暗号キーなどのパラメータ切り替えについての回数を示し、各パラメータ切り替えポイントは、そのリンクのタイミング構造におけるスーパースロット境界として識別される。しかしながら、無線端末に割り当てられるいくつかのトラフィックチャネルのセグメントは、識別されたスーパースロット境界を跨ぐ可能性がある。例示的な切り替えプロトコル情報は、特定のセグメントが、古いキーまたは新しいキーを使用して符号化されるかどうかを制御する。いくつかの実施形態において、異なるルールが、アップリンクおよびダウンリンクのトラフィックチャネルのセグメントに与えられる。
【００３９】
無線端末データ／情報２４４は、無線端末データ／情報の複数の組を含み（無線端末１データ／情報２６０、．．．、無線端末Ｎデータ／情報２６２）、情報の各組は、アタッチメントのポイントとして基地局２００を使用する無線端末に対応する。ＷＴ１データ／情報２６０は、パラメータ切り替えポイントメッセージ情報２６４、リンク情報の１つ以上の組（リンク１情報２６６、．．．、リンクＮ情報２６８）、暗号キー（キー１情報２８４、．．．、キーＭ情報２８６）、スクランブリングマスク２７２（スクランブリングマスク１  ２８８、．．．、スクランブリングマスクＭ２９０）、および要求辞書インジケータ２７４（インジケータ１情報２９２、インジケータＫ情報２９４）を含む。パラメータ切り替えポイントメッセージ情報２６４は、タイミング情報２７６を含み、いくつかの実施形態において、リンク識別子情報２８２を含む。タイミング構造におけるポイントを規定するタイミング情報２７６は、スーパースロット識別子２７８およびシンボル時間識別子２８０を含む。いくつかの実施形態において、繰り返しタイミング構造における各ウルトラスロット（ｕｌｔｒａｓｌｏｔ）内に、１４４個のインデックス付けられた（ｉｎｄｅｘｅｄ）スーパースロットが存在し、各スーパースロット内に、１１４個のインデックス付けられたＯＦＤＭシンボル送信時間周期が存在する。リンク識別子情報２８２、例えば接続識別子は、タイミング情報２７６が対応する接続を識別する。
【００４０】
リンク１情報２６６は、ＷＴ１との接続に対応する情報、例えば基地局のアタッチメントポイント、リンクに関連付けられる無線端末識別子に割り当てられた基地局、ダウンリンクおよびアップリンクのトラフィックチャネルのセグメントなどのその無線通信リンクに割り当てられたエアリンクリソース、その無線通信リンク上で通信されるべきユーザデータ、リンク上での通信に使用されるべき例えばキー、マスク、辞書などの情報識別パラメータ、および／または無線通信リンクのためのパラメータ切り替えポイントを示す情報に無線通信リンクを関連付ける接続識別情報を含む。
【００４１】
リンクＮ情報２６８は、リンク１情報２６６と同様の情報を含むが、リンクＮに関連する。
【００４２】
図３は、本発明による方法を使用し、本発明により実施される例示的な無線端末３００、例えば移動体ノードの図である。例示的な無線端末３００は、図１の任意の無線端末（１３６、１３８、１４４、１４６、１５２、１５４、１６８、１７０、１７２、１７４、１７６、１７８）、図４の移動体ノード（ＭＮ）４１８、または図７のＭＮ７１８であり得る。例示的な無線端末３００は、様々な要素がデータおよび情報を交換するバス３１２を介して共に結合される、受信器モジュール３０２、送信器モジュール３０４、プロセッサ３０６、ユーザＩ／Ｏデバイス３０８、およびメモリ３１０を含む。
【００４３】
受信器モジュール３０２、例えばＯＦＤＭ受信器は、それを介して無線端末が基地局からダウンリンク信号を受信する受信アンテナ３０３に結合される。パラメータ切り替えポイント情報は、受信器モジュール３０２を介して受信される。無線端末３００は、複数の基地局アタッチメントポイントを有する同時無線リンクを維持することができる。受信器モジュール３０２は、複数の接続モジュール（接続１モジュール３１４、．．．、接続Ｎモジュール３１６）を含み、各接続モジュールは、異なる同時ダウンリンク・リンクに関連する動作に使用されることができる。
【００４４】
いくつかの実施形態において、各接続モジュール（３１４、３１６）は、そのリンクに関する対応するアタッチメントポイントによって使用されるダウンリンクのトーンブロックを受信するために調整される通過帯域受信器チェーンを含む。いくつかの実施形態において、別個のアンテナが、各接続モジュール（３１４、３１６）に対応して使用される。受信器３０２は、受信されたダウンリンク信号の少なくともいくつかを復号化する復号器モジュール３１８も含む。
【００４５】
送信器モジュール３０４、例えばＯＦＤＭ送信器は、無線端末３００が、それを介してアップリンク信号を基地局に送信する送信アンテナ３０５に結合される。無線端末３００は、複数の基地局アタッチメントポイントを有する無線リンクを同時に維持することができる。送信器モジュール３０４は、複数の接続モジュール（接続１モジュール３１５、．．．、接続Ｎモジュール３１７）を含み、各接続モジュールは、異なる同時アップリンク・リンクに関連する動作に使用されることができる。いくつかの実施形態において、各接続モジュール（３１５、３１７）は、そのリンクに関する対応するアタッチメントポイントによって使用されるアップリンクのトーンブロックに送信するために調整される通過帯域送信器チェーンを含む。いくつかの実施形態において、別個のアンテナが、各接続モジュール（３１５、３１７）に対応して使用される。いくつかの実施形態において、受信器接続１モジュール３１４は、送信器接続１モジュール３１５と対にされ、一方、受信器接続Ｎモジュール３１６は、送信器接続Ｎモジュール３１７と対にされる。いくつかの実施形態において、モジュールのそのような対の間の動作は、例えば閉ループタイミング制御方法を使用して、基地局のアタッチメントポイントでの他の無線端末の送信信号の受信時間に対して、基地局のアタッチメントポイント受信器での無線端末の送信信号の受信時間を同期化するために、無線端末のアップリンクのタイミングを調整するように調和される。基地局のアタッチメントポイントから受信された基地局のダウンリンク信号、および受信されたタイミング調整フィードバッグ信号は、無線端末によって使用される。いくつかの実施形態において、同一の１つまたは複数のアンテナは、受信器モジュール３０２および送信器モジュール３０４の両方で使用される。送信器モジュール３０４は、また、アップリンクを使用して通信されるべき少なくともいくつかのデータ／情報を符号化する符号化モジュール３２０を含む。
【００４６】
ユーザＩ／Ｏデバイス３０８、例えば、マイクロホン、キーボード、キーパッド、カメラ、スイッチ、スピーカ、ディスプレイなどは、ユーザが、データ／情報を入力し、データ／情報を出力し、かつ無線端末の動作を制御し、例えば通信セッションを開始することを可能にするユーザインターフェースを提供する。
【００４７】
メモリ３１０は、ルーチン３２２およびデータ／情報３２４を含む。プロセッサ３０６、例えばＣＰＵは、ルーチン３２２を実行し、無線端末３００の動作を制御しかつ本発明の方法を実施するためにメモリ３１０内のデータ／情報３２４を使用する。ルーチン３２２は、通信ルーチン３２６および無線端末制御ルーチン３２８を含む。通信ルーチン３２６は、無線端末３００によって使用される様々な通信プロトコルを実装する。無線端末制御ルーチン３２８は、基準ポイント決定モジュール３３０、切り替えポイント決定モジュール３３２、リンクタイミングモジュール３３４、およびリンク決定モジュール３３６を含む。
【００４８】
基準ポイント決定モジュール３３０は、受信されたパラメータ切り替えポイント情報から、無線端末と基地局アタッチメントポイントとの間の複数の無線通信リンクの中の第１のものに対応する時間における基準ポイントを決定する。
【００４９】
切り替えポイント決定モジュール３３２は、決定された基準ポイントから個別のパラメータ切り替えポイントを決定し、決定された個別のパラメータ交換ポイントの各々は、複数の無線端末３００の無線通信リンクの中の異なる各々に対応する。いくつかの実施形態において、切り替えポイント決定モジュール３３２は、決定された基準ポイントと、該複数の無線端末３００の無線通信リンクの中の対応する１つに関する可能性があるパラメータ切り替えポイントとの間の所定の関係に基づいて、個別のパラメータ切り替えポイントを決定する。いくつかの実施形態において、切り替えポイント決定モジュール３３２は、所定の方法で、個別のパラメータ切り替えポイントが決定される複数の無線通信リンクの中の一つに対応する可能性があるパラメータ切り替えポイントを選択する。例えば、いくつかの実施形態において、可能性があるパラメータ切り替えポイントは、スーパースロット境界で生じ、スーパースロット境界は、リンクに対応する繰り返しタイミング構造から識別される。例えば、各リンクに関して、いくつかの実施形態において、切り替えポイント決定モジュール３２２は、決定された基準ポイントに先行する通信リンクに関する最後の先行するスーパースロット境界を選択する。いくつかの他の実施形態において、各リンクに関して、切り替えポイント決定モジュール３２２は、決定された基準ポイントに対して該通信リンクに関する次の後続するスーパースロット境界を選択する。
【００５０】
リンクタイミングモジュール３３４は、各リンク毎にタイミング同期を維持する。例えば、無線端末は、例えば同一の基地局の異なるセクタに対応する、または異なる基地局に対応する、異なる基地局アタッチメントポイントを有する２つの同時リンクを有することができる。２つのアタッチメントポイントは、いくつかの実施形態において、タイミング同期されない。さらに、１つのアタッチメントポイントに関連するリンクは、異なるアタッチメントポイントに関連する他の無線リンクとは異なる信号ラウンドトリップ時間（ｒｏｕｎｄ  ｔｒｉｐ  ｔｉｍｅ）を有することができる。アタッチメントポイントに対応する各アップリンクに関連する基地局アタッチメントポイントでタイミング同期を維持することは、例えば干渉レベルを制限するために、ＯＦＤＭ多重アクセス無線通信システムにおいて重要であり、閉ループタイミング制御が実装される。
【００５１】
リンク決定モジュール３３６は、複数のリンクの中のどれが、通信された切り替えポイントオフセットが関係する第１のリンクであるかを決定し、参照される。いくつかの実施形態において、リンク決定モジュール３３６は、どのリンクが第１リンクであるかを、受信されたパラメータ切り替え情報に含まれる情報、例えばメッセージ中の接続識別子フィールド、セル識別子、セクタタイプ識別子、およびトーンブロック接続子を含む接続識別子フィールドなどのリンク識別子情報から決定する。他の実施形態において、リンク決定モジュール３３６は、どのリンクが第１のリンクであるかを、情報がどのリンクを介して受信されたかを識別することによって決定し、例えば、パラメータ切り替え情報が通信されるリンクが第１のリンクであると決定する。
【００５２】
データ／情報３２４は、ユーザ／デバイス／セッション／リソース情報３３８、システムデータ／情報３４０、受信されたパラメータ切り替えポイント情報３５８、決定された基準ポイント情報３６８、決定されたリンク切り替えポイント情報の複数の組（決定されたリンク１切り替えポイント情報３７０、．．．、決定されたリンクＮ切り替えポイント情報３７２）、暗号キー３７４（キー１情報３８０、．．．、キーＭ情報３８２）、スクランブリングマスク３７６（スクランブリングマスク１情報３８４、．．．、スクランブリングマスクＭ情報３８６）、および要求辞書インジケータ（要求辞書インジケータ１情報３８８、．．．、要求辞書インジケータＫ情報３９０）を含む。
【００５３】
システムデータ／情報３４０は、基地局データ／情報（基地局１データ／情報３４２、．．．、基地局ｎデータ３４４）の複数の組および切り替えプロトコル情報３４６を含む。基地局１データ／情報３４８は、アタッチメントポイント情報（アタッチメントポイント１情報３４８、．．．、アタッチメントポイントＮ情報３５０）の複数の組を含む。アタッチメントポイント１情報３４８は、識別情報３５２およびタイミング／周波数構造情報３５４を含む。タイミング／周波数構造情報３５４は、スーパースロット境界情報３５６を含む。
【００５４】
受信されたパラメータ切り替えポイント情報３５８は、タイミング情報３６０、およびいくつかの実施形態において、リンク識別子情報３６６を含む。タイミング情報３６０は、スーパースロット識別子３６２およびシンボル時間識別子３６４を含む。決定されたリンク基準ポイント情報３６８は、基準ポイント決定モジュール３３０の出力である。決定されたリンク１切り替えポイント情報１  ３７０および決定されたリンクＮ切り替えポイント情報３７２は、切り替えポイント決定モジュール３３２の出力である。暗号キーは、特定のリンクに対応する決定された切り替えポイントに従って、かつ切り替えプロトコル情報３４０に従って、受信された切り替えポイント情報に応答して切り替えられる例示的なパラメータである。他の例示的なパラメータは、例えばＯＦＤＭシンボルの位相をスクランブリングするために使用されるスクランブリングマスク、および例えばアップリンクのトラフィックリソース要求レポートの特定の解釈に各々が対応する異なる要求辞書を示すために使用される要求辞書インジケータである。いくつかの実施形態において、パラメータは、アップリンクおよびダウンリンクの両方に関係し、例えばいくつかの実施形態において同一の暗号キーが、アップリンクおよびダウンリンクのトラフィックチャネルのセグメントの両方に使用される。いくつかのそのような実施形態において、切り替えポイント情報は、アップリンクおよびダウンリンクのタイミング構造の両方との関係において適用される。
【００５５】
ＷＴ３００内のデータ／情報３２４中の様々な要素は、前述されたＢＳ２００内のデータ／情報２２８における同様に名付けられた要素に対応し、そのような説明は、ＷＴ３００にも関連する。
【００５６】
図４は、本発明による方法を使用し、本発明により実施される例示的な無線通信システム４００の一部の図である。図の例示的なシステム４００は、セル１  ４０４で示される無線カバレージ領域を有する基地局（ＢＳ）４０２を含む。ＢＳ４０２は、それぞれのセクタカバレージ領域（セクタ１  ４０６、セクタ２  ４０８、セクタ３  ４１０）にそれぞれ対応する複数の基地局セクタ（基地局セクタ１  ４１２、基地局セクタ２  ４１４、基地局セクタ３  ４１６）を含む。図の例示的なシステム４００は、例示的な無線端末である移動体ノード（ＭＮ）４１８も含む。ＭＮ４１８は、第１の無線通信リンク４２０によって示されるように、基地局セクタ１（ＢＳＳ１）４１２のアタッチメントポイントに現在接続され、かつ第２の無線通信リンク４２２によって示されるように、基地局セクタ２（ＢＳＳ２）４１４のアタッチメントポイントに現在接続される。
【００５７】
同一の基地局セクタを有する複数の無線通信リンクも可能である。例えば、第１の無線通信リンクは、基地局セクタによって使用される第１のトーンブロックに対応することができ、第２の無線通信リンクは、同一の基地局セクタによって使用される異なるトーンブロックに対応することができる。いくつかの実施形態において、トーンブロックは、少なくとも１００個のトーン、例えば１１３個のトーンを含む連続するＯＦＤＭトーンの組を含む。いくつかの実施形態において、各基地局セクタは、３つの異なるダウンリンクトーンブロックまでサポートする。
【００５８】
図５は、本発明による例示的なパラメータ切り替え５００を示す図である。ブロック５０２は、例示的なパラメータ切り替えメッセージを示す。例示的なパラメータ切り替えメッセージ５０２は、接続識別子フィールド５０４、スーパースロット識別子フィールド５０６、およびシンボル時間識別子フィールド５０８を含む。この例において、接続識別子フィールド５０４は、第２の接続が、フィールド５０６およびフィールド５０８の時間オフセット情報が関係する接続であることを示す。スーパースロット識別子フィールド５０６は、インデックス＝４を有するスーパースロットを示す。シンボル時間識別子フィールド５０８は、スーパースロット内のＯＦＤＭシンボル時間インデックスが５７であることを示す。行５１０は、第１の接続に対応し、例えば、ＢＳＳ１  ４１２とＭＮ４１８との間の図４における無線通信リンク４２０に対応する反復タイミング構造内の例示的なダウンリンクタイミングを示す。行５１２は、第２の接続に対応し、例えば、ＢＳＳ２  ４１４とＭＮ４１８との間の図４における無線通信リンク４２２に対応する反復タイミング構造内の例示的なダウンリンクタイミングを示す。各スーパースロットは、いくつかの実施形態において、固定数のＯＦＤＭシンボル送信時間周期、例えば１１４個のＯＦＤＭシンボル送信時間周期の時間期間を表す。
【００５９】
点線５１４は、スーパースロットの開始を表すタイミングは、２つの同時接続に対応してわずかに異なることを示す。さらに、この例において、スーパースロットのインデックス付け（ｓｕｐｅｒｓｌｏｔ  ｉｎｄｅｘｉｎｇ）は、２つの接続間のオフセットである。
【００６０】
この例において、基地局は、メッセージ５０２のフィールド５０４を介して第２の接続に関連する選択された時点５１６を示す。メッセージ５０２のフィールド５０６は、選択された時点５１６が生じる第２の接続に対応するタイミング構造内のスーパースロットとして、第２の接続のスーパースロットインデックス  ｘ＝４を識別する。メッセージ５０２のフィールド５０８は、第２の接続に対応するスーパースロットインデックス＝４の開始から、選択された時点５１６までの時間オフセットＡ５２０が、５７個のＯＦＤＭシンボル時間周期であることを示す。第１の接続に対応するスーパースロットインデックス＝３の開始から、選択された時点５１６までの時間オフセットＢ５２２は、５６．５個のＯＦＤＭシンボル時間周期である。
【００６１】
５２２の値は、メッセージ５０２を介して基地局から無線端末へ直接通信されてはいないが、パラメータ切り替えが１番目の接続に対していつ生じるかに関する曖昧性はない。無線端末は、メッセージ５０２で識別される１つの接続に関連する選択された時点５１６を決定する。各接続に関して、パラメータ切り替えポイントは、先行するパラメータ切り替え境界である。この場合、パラメータ切り替え境界は、スーパースロットの開始である。基地局は、各接続がどの境界をパラメータ切り替えポイントに使用するべきかに関して曖昧性が存在しないように、選択された時点を意図的に選択する。いくつかの実施形態において、該複数の通信リンクの各々に関して、該選択された時点は、少なくとも１つのＯＦＤＭシンボル時間周期だけ意図された切り替えポイントの各々からオフセットされる。いくつかの実施形態において、該選択された時点は、該選択された時点と最も近い可能性がある切り替えポイント境界との間の時間間隔が、最大化されるまたはほぼ最大化されるように選択される。例えば、図５のこの場合において、２つの接続のタイミングは、スーパースロットの開始に対してほぼ同一であり、選択された時点は、２番目の接続に対応するスーパースロットの中央ポイントであるように選択される。
【００６２】
ブロック５２４は、１番目の接続のタイミングに対応するスーパースロット境界で生じる０によって示される１番目の接続の可能性がある候補のパラメータ切り替えポイントを示す。ブロック５２４は、また、第１の接続のパラメータ切り替えポイントが、Ｘによって示されるように、第１の接続のタイミング時間５２６内のインデックス＝３を有するスーパースロットの開始で生じることを示す。
【００６３】
ブロック５２８は、２番目の接続のタイミングに対応するスーパースロット境界で生じる０によって示される２番目の接続の可能性がある候補のパラメータ切り替えポイントを示す。ブロック５２８は、また、第２の接続のパラメータ切り替えポイントが、Ｘによって示されるように、第２の接続のタイミング時間５３０内のインデックス＝４を有するスーパースロットの開始で生じることを示す。時間５３０は、時間５２６よりわずかに前で生じるが、どのパラメータが、異なる同時リンクに対していつ使用されるかに関して、基地局セクタと無線端末との間に曖昧性が無いことに留意すべきである。
【００６４】
図６は、本発明による例示的なパラメータ切り替え６００を示す図である。ブロック６０２は、例示的なパラメータ切り替えメッセージを示す。例示的なパラメータ切り替えメッセージ６０４は、接続識別子フィールド６０４、スーパースロット識別子フィールド６０６、およびシンボル時間識別子フィールド６０８を含む。この例において、接続識別子フィールド６０４は、第１の接続が、フィールド６０６およびフィールド６０８の時間オフセット情報が関係する接続であることを示す。スーパースロット識別子フィールド６０６は、インデックス＝９を有するスーパースロットを示す。シンボル時間識別子フィールドは、スーパースロット内のＯＦＤＭシンボル時間インデックスが７４であることを示す。行６１０は、第１の接続に対応する、例えば、ＢＳＳ１  ４１２とＭＮ４１８との間の図４における無線通信リンク４２０に対応する反復タイミング構造内の例示的なダウンリンクタイミングを示す。行６１２は、第２の接続に対応する、例えば、ＢＳＳ２  ４１４とＭＮ４１８との間の図４における無線通信リンク４２２に対応する反復タイミング構造内の例示的なダウンリンクタイミングを示す。各スーパースロットは、いくつかの実施形態において、固定数のＯＦＤＭシンボル送信時間周期、例えば１１４個のＯＦＤＭシンボル送信時間周期の時間期間を表す。
【００６５】
点線６１４は、スーパースロットの開始を表すタイミングは、２つの同時接続に対応して実質的に異なることを示す。さらに、この例において、スーパースロットのインデックス付けは、２つの接続間のオフセットである。
【００６６】
この例において、基地局は、メッセージ６０２のフィールド６０４を介して第１の接続に関連する選択された時点６１６を示す。メッセージ６０２のフィールド６０６は、選択された時点６１６が生じる第１の接続に対応するタイミング構造内のスーパースロットとして、第１の接続のスーパースロットインデックス＝９を識別する。メッセージ６０２のフィールド６０８は、第１の接続に対応するスーパースロットインデックス＝９の開始から、選択された時点６１６までの時間オフセットＡ６２０が、７４個のＯＦＤＭシンボル時間周期であることを示す。第２の接続に対応するスーパースロットインデックス＝３の開始から、選択された時点６１６までの時間オフセットＢ６２２は、４０個のＯＦＤＭシンボル時間周期である。
【００６７】
時間オフセットＢ６２２の値は、メッセージ６０２を介して基地局から無線端末へ直接通信されてはいないが、パラメータ切り替えが２番目の接続に対していつ生じるかに関する曖昧性は無い。無線端末は、メッセージ６０２で識別される１つの接続に関連する選択された時点６１６を決定する。各接続に関して、パラメータ切り替えポイントは、先行するパラメータ切り替え境界である。この場合、パラメータ切り替え境界は、スーパースロットの開始である。基地局は、各接続がどの境界をパラメータ切り替えポイントに使用するべきかに関して曖昧性が存在しないように、選択された時点を意図的に選択する。いくつかの実施形態において、該複数の通信リンクの各々に関して、該選択された時点は、少なくとも１つのＯＦＤＭシンボル時間周期だけ意図された切り替えポイントの各々からオフセットされる。いくつかの実施形態において、該選択された時点は、該選択された時点と最も近い可能性がある切り替えポイント境界との間の時間間隔が、最大化されるまたはほぼ最大化されるように選ばれる。
【００６８】
ブロック６２４は、１番目の接続のタイミングに対応するスーパースロット境界で生じる０によって示される１番目の接続の可能性がある候補のパラメータ切り替えポイントを示す。ブロック６２４は、また、第１の接続のパラメータ切り替えポイントが、Ｘによって示されるように、第１の接続のタイミング時間６２６内のインデックス＝９を有するスーパースロットの開始で生じることを示す。
【００６９】
ブロック６２８は、２番目の接続のタイミングに対応するスーパースロット境界で生じる０によって示される２番目の接続の可能性がある候補のパラメータ切り替えポイントを示す。ブロック６２８は、また、第２の接続のパラメータ切り替えポイントが、Ｘによって示されるように、第２の接続のタイミング時間６３０内のインデックス＝３を有するスーパースロットの開始で生じることを示す。
【００７０】
図７は、本発明による方法を使用し、本発明により実施される例示的な無線通信システム７００の図である。例示的なシステム７００は、セル１  ７０４で示される無線カバレージ領域を有する第１の基地局（ＢＳ１）７０２を含む。ＢＳ７０２は、それぞれのセクタ・カバレージ領域（セクタ１  ７０６、セクタ２  ７０８、セクタ３  ７１０）にそれぞれ対応する複数の基地局セクタ（基地局セクタ１  ７１２、基地局セクタ２  ７１４、基地局セクタ３  ７１６）を含む。例示的なシステム７００は、例示的な無線端末である移動体ノード（ＭＮ）７１８も含む。ＭＮ７１８は、第１の無線通信リンク７２０によって示されるように、基地局セクタ１（ＢＳＳ１）７１２のアタッチメントポイントに現在接続され、かつ第２の無線通信リンク７２２によって示されるように、基地局セクタ２（ＢＳＳ２）７１４のアタッチメントポイントに現在接続される。
【００７１】
例示的な無線通信システム７００は、セル２  ７２６で示される無線カバレージ領域を有する第２の基地局ＢＳ２  ７２４も含む。例えば、基地局７２４は、セル７２６全体を通じて使用される単一の基地局セクタを表す。移動体ノード７１８は、また第３の無線接続リンク７２８によって示されるようにＢＳ２のアタッチメントポイントに現在接続される。
【００７２】
ＢＳ１  ７０２およびＢＳ２  ７２４は、それぞれネットワークリンク（７３２、７３４）を介して、ネットワークノード７３０、例えばルータ、制御ノードなどに結合される。ネットワークノード７３０は、ネットワークリンク７３６を介して、他のネットワークノード、例えば他の基地局、ルータ、ＡＡＡノード、ホームエージェントノードなどにも結合される。ネットワークリンク（７３２、７３４、７３６）は、例えばファイバ光リンクである。
【００７３】
いくつかの実施形態において、基地局（７０４、７０６）は、異なる数の基地局セクタ、例えば２つ、４つ、または４つ以上のセクタを有することができる。いくつかの実施形態において、少なくともいくつかの基地局セクタは、複数の異なるトーンブロック、例えば、対応する異なるアップリンクのトーンブロックに関連付けられる、３つの異なるダウンリンクトーンブロックをサポートする。例えば、ＢＳＳ１  ７０２は、３つの異なるダウンリンクトーンブロックおよび／またはキャリアをサポートすることができ、各ダウンリンクトーンブロックは、異なる可能性があるＢＳＳ１のアタッチメントポイントに対応することができる。そのような例示的な実施形態において、無線端末は、同一の基地局セクタとの複数の同時接続を有するが、各接続に対応する異なるトーンブロックを使用することができる。いくつかの実施形態において、複数の基地局は、サイトで同じ場所に配置される（ｃｏｌｏｃａｔｅｄ）。例えば、第１のダウンリンクキャリアを使用する第１の基地局は、第２のダウンリンクキャリアを使用する第２の基地局と同じ場所に配置され、第２のダウンリンクキャリアは、第１のダウンリンクキャリアとは異なる。
【００７４】
図８は、本発明による例示的なパラメータ交換８００を示す図である。ブロック８０２は、例示的なパラメータ切り替えメッセージを示す。例示的なパラメータ切り替えメッセージ８０４は、接続識別子フィールド８０４、スーパースロット識別子フィールド８０６、およびシンボル時間識別子フィールド８０８を含む。この例において、接続識別子フィールド８０４は、第１の接続が、フィールド８０６およびフィールド８０８の時間オフセット情報が関係する接続であることを示す。スーパースロット識別子フィールド８０６は、インデックス＝３を有するスーパースロットを示す。シンボル時間識別子フィールド８０８は、スーパースロット内のＯＦＤＭシンボル時間インデックスが２８であることを示す。行８１０は、第１の接続に対応する、例えば、ＢＳＳ１  ７１２とＭＮ７１８との間の図７における無線通信リンク７２０に対応する反復タイミング構造内の例示的なダウンリンクタイミングを示す。行８１２は、第２の接続に対応する、例えば、ＢＳＳ２  ７１４とＭＮ７１８との間の図７における無線通信リンク７２２に対応する反復タイミング構造内の例示的なダウンリンクタイミングを示す。行８１４は、第３の接続に対応する、例えば、ＢＳＳ２  ７２４とＭＮ７１８との間の図７における無線通信リンク７２８に対応する反復タイミング構造内の例示的なダウンリンクタイミングを示す。各スーパースロットは、いくつかの実施形態において、固定数のＯＦＤＭシンボル送信時間周期、例えば１１４個のＯＦＤＭシンボル送信時間周期の時間期間を表す。
【００７５】
点線８１６は、スーパースロットの開始を表すタイミングは、同時の接続１および２に対応してわずかに異なり、かつ２つの同時の接続１および３に対応して実質的に異なることを示す。さらに、この例において、スーパースロットのインデックス付けは、第１および第３の接続間のオフセットである。
【００７６】
この例において、メッセージ８０２に対応する選択された時点８１８を示された基地局は、メッセージ８０２のフィールド８０４を介して第１の接続に関連する。メッセージ８０２のフィールド８０６は、該選択された時点８１８が生じる第１の接続に対応するタイミング構造内のスーパースロットとして、第１の接続のスーパースロットインデックス＝３を識別する。メッセージ８０２のフィールド８０８は、第１の接続に対応するスーパースロットインデックス＝３の開始から、選択された時点８１８までの時間オフセットＡ８２２が、２８個のＯＦＤＭシンボル時間周期であることを示す。第２の接続に対応するスーパースロットインデックス＝３の開始から、選択された時点８１８までの時間オフセットＢ８２４は、３０個のＯＦＤＭシンボル時間周期である。第３の接続に対応するスーパースロットインデックス＝８の開始から、選択された時点８１８までの時間オフセットＣ８２６は、８６個のＯＦＤＭシンボル時間周期である。
【００７７】
時間オフセットＢ８２４の値および時間オフセットＣ８２６の値は、メッセージ８０２を介して基地局から無線端末へ直接通信されてはいないが、パラメータ切り替えが２番目の接続または３番目の接続に対していつ生じるかに関する曖昧性はない。無線端末は、メッセージ８０２で識別される１つの接続に関連する選択された時点８１８を決定する。各接続に関して、パラメータ切り替えポイントは、先行するパラメータ切り替え境界である。この場合、パラメータ切り替え境界は、スーパースロットの開始である。基地局は、各接続がどの境界をパラメータ切り替えポイントに使用するべきかに関して曖昧性が存在しないように、選択された時点８１８を意図的に選択する。いくつかの実施形態において、該複数の通信リンクの各々に関して、選択された時点は、少なくとも１つのＯＦＤＭシンボル時間周期だけ意図された切り替えポイントの各々からオフセットされる。いくつかの実施形態において、該選択された時点は、該選択された時点と最も近い可能性がある切り替えポイント境界との間の時間間隔が、最大化されるまたはほぼ最大化されるように選ばれる。
【００７８】
ブロック８２８は、１番目の接続のタイミングに対応するスーパースロット境界で生じる０によって示される１番目の接続の可能性がある候補のパラメータ切り替えポイントを示す。ブロック８２８は、また、第１の接続のパラメータ切り替えポイントが、Ｘによって示されるように、第１の接続のタイミング時間８３０内のインデックス＝３を有するスーパースロットの開始で生じることを示す。
【００７９】
ブロック８３２は、２番目の接続のタイミングに対応するスーパースロット境界で生じる０によって示される２番目の接続の可能性がある候補のパラメータ切り替えポイントを示す。ブロック８３２は、また、第２の接続のパラメータ切り替えポイントが、Ｘによって示されるように、第２の接続のタイミング時間８３４内のインデックス＝３を有するスーパースロットの開始で生じることを示す。
【００８０】
ブロック８３６は、３番目の接続のタイミングに対応するスーパースロット境界で生じる０によって示される３番目の接続の可能性がある候補のパラメータ切り替えポイントを示す。ブロック８３６は、また、第３の接続のパラメータ切り替えポイントが、Ｘによって示されるように、第２の接続のタイミング時間８３８内のインデックス＝８を有するスーパースロットの開始で生じることを示す。
【００８１】
図９は、本発明による基地局を動作する例示的な方法のフローチャート９００である。フローチャート９００は、無線端末に複数のパラメータ切り替えポイントを示すように基地局を動作する例示的な方法を示し、前記複数のパラメータ切り替えポイントの中の異なる各々は、異なる無線通信リンクに対応し、前記無線通信リンクの各々は、反復タイミング構造を有し、示された複数の切り替えポイントの各々は、複数の異なる無線通信リンクの中の対応するものの反復タイミング構造内の位置に対応する。いくつかの実施形態において、複数の通信リンクは、ダウンリンク通信リンクであり、ダウンリンクのタイミング構造は、各無線リンクについて同一である。いくつかの実施形態において、複数の通信リンクは、非同期通信リンクである。いくつかの実施形態において、異なるリンクに対応する複数のパラメータ切り替えポイントは、同一のパラメータに関する切り替えポイントを示す。切り替えポイントパラメータに対応するパラメータの例は、暗号キー、要求辞書インジケータ、およびスクランブリングマスクを含む。例示的な方法の動作は、ステップ９０２で開始し、ステップ９０４へ進む。
【００８２】
ステップ９０４において、基地局は、時間オフセット１個分だけ第１のリンクに対応するパラメータ切り替えポイントからの時間におけるオフセットである前記複数の通信リンクの中の第１のリンクに関連するオフセット時点を選択する。いくつかの実施形態において、シンボル時間は、ＯＦＤＭシンボルを送信するために使用される時間周期である。いくつかの実施形態において、前記複数の通信リンクに関するパラメータ切り替えポイントは、前記複数の通信リンクの繰り返しタイミング構造内の事前に選択されたタイミング境界で生じることに制限される。いくつかのそのような実施形態において、事前に選択されたタイミング境界は、固定された時間間隔で生じる。例えばいくつかの実施形態において、事前に選択されたタイミング境界は、少なくとも１０１個のＯＦＤＭシンボル送信時間周期、例えば１１４個のＯＦＤＭシンボル送信時間周期だけ離間されたスーパースロット境界である。様々な実施形態において、各無線リンクに関する事前に選択されたタイミング境界は、互いにオフセットされ、例えば、異なる通信リンクのスーパースロット境界は、互いにオフセットされる。いくつかの実施形態において、前記複数の異なる通信リンクの各々に対応する切り替えポイントの各々は、選択されたオフセット時点に対する所定の関係を有する。例えば、所定の関係は、前記複数の異なる通信リンクの各々に関して、その無線リンクに関する切り替えポイントが、選択されたオフセット時点の直前のその無線リンクに関する可能性がある切り替えポイント、例えば、選択されたオフセット時点の直前のスーパースロット境界であることである。
【００８３】
ステップ９０４は、サブステップ９０６を含む。サブステップ９０６において、基地局は、少なくとも１つのシンボル時間期間だけ第１の１つのリンクに対応するパラメータ切り替えポイントからオフセットされた、前記第１のリンクのタイミング構造内で生じる時間を選択し、前記複数の異なる無線通信リンク内の追加の無線通信リンクの各々に関する時間における切り替えポイントは、少なくとも１つのシンボル時間周期だけ選択されたオフセット時点からさらにオフセットされる。動作は、ステップ９０４からステップ９０８へ進む。
【００８４】
ステップ９０８において、基地局は、無線端末にパラメータ切り替え情報を送信する。ステップ９０８は、サブステップ９１０を含む。サブステップ９１０において、基地局は、無線端末に前記オフセット時点を示す情報を送信する。例えばいくつかの実施形態において、基地局は、スーパースロット識別子およびシンボル時間識別子を送信する。いくつかの実施形態において、サブステップ９１０の送信は、第１のリンクの反復タイミング構造内の可能性がある切り替えポイント間の期間の少なくとも５倍だけ、第１の１つのリンクに対応する前記切り替えポイントに先行する前記選択されたオフセット時点よりも前の時点で実行される。いくつかのそのような実施形態において、ステップ９１０の送信は、特定の反復タイミング構造に対応するリンクに使用される反復タイミング構造内の可能性がある切り替えポイント間の期間の少なくとも５倍だけ、前記複数の異なる通信リンクの中の異なる各々に対応する前記切り替えポイントの各々に先行する前記選択されたオフセット時点よりも前の時点で実行される。いくつかの実施形態において、送信される生成された交換ポイント情報は、少なくともスーパースロット４０個分先までの第１のリンクに関する切り替えポイント時間に対応する。例えばウルトラスロットに１４４個のスーパースロットが存在するいくつかのそのような実施形態において、送信される生成された切り替えポイント情報は、多くともスーパースロット１４３個分先までの第１のリンクに関する切り替えポイント時間に対応する。
【００８５】
いくつかの実施形態において、前記オフセット時点を示す情報を送信することは、前記オフセット時点が、前記複数のリンクの中のどれに対応するかを識別する明らかな情報を送信することなく、例えばサブステップ９１２が実行されることなく、前記オフセット時点が対応する第１のリンク上で前記オフセット時点を示す前記情報を送信することを含む。
【００８６】
いくつかの他の実施形態において、ステップ９０８はサブステップ９１２を含む。サブステップ９１２において、基地局は、前記オフセット時点が前記通信リンクの中のどれに対応するかを示す情報を送信する。例えば、基地局は、接続識別子を送信する。様々な実施形態において、サブステップ９１０およびサブステップ９１２は、同一のメッセージ、例えば、接続識別子、スーパースロット識別子、およびシンボル時間識別子を含むメッセージの一部として送信される。
【００８７】
図１０は、本発明によるパラメータ切り替えポイント情報を受信しかつ処理するために無線端末を動作する例示的な方法のフローチャート１０００である。動作は、無線端末が電源投入されかつ初期化されるステップ１００２で開始する。動作は、開始ステップ１００２からステップ１００４へ進む。ステップ１００４において、無線端末に対応する複数の無線通信リンクの中の少なくとも１つの上でパラメータ切り替えポイント情報を受信し、前記切り替えポイント情報は、切り替えポイントからオフセットされたポイントを示す。ステップ１００４は、サブステップ１００６を含む。サブステップ１００６において、無線端末は、タイミング情報、例えば第１の無線通信リンクに関連して参照されるスーパースロット識別子およびシンボル時間識別子を受信し、前記第１の無線通信リンクは、前記複数の無線通信リンクの１つである。いくつかの実施形態において、ステップ１００４は、サブステップ１００８を含む。サブステップ１００８において、無線端末は、どの通信リンクが第１の無線通信リンクであるかを識別する情報を受信する。例えば、接続識別子は、いくつかの実施形態において、タイミング情報とともに無線端末と通信される。
【００８８】
いくつかの実施形態、例えばサブステップ１００８が含まれない実施形態において、動作は、ステップ１００４からステップ１０１０へ進む。サブステップ１００８が実行され、かつステップ１０１０が実行されない他の実施形態において、動作は、ステップ１００４からステップ１０１２へ進む。
【００８９】
ステップ１０１０において、無線端末は、パラメータ切り替えポイント情報が通信された通信リンクに基づき、どの通信リンクが第１の無線通信リンクであるかを決定する。例えば、いくつかの実施形態において、パラメータ切り替えポイント情報が通信される通信リンクが、第１の通信リンクである。動作は、ステップ１０１０からステップ１０１２へ進む。
【００９０】
ステップ１０１２において、無線端末は、第１の通信リンクに対応する受信されたパラメータ切り替えポイント情報から時間における基準ポイントを決定する。動作は、ステップ１０１２からステップ１０１４へ進む。
【００９１】
ステップ１０１４において、無線端末は、個別のパラメータ切り替えポイントを決定し、決定された個別のパラメータ切り替えポイントの各々は、前記複数の無線通信リンクの異なる各々に対応する。ステップ１０１４は、複数の無線通信リンクの各々に関して実行されるサブステップ１０１４を含む。サブステップ１０１６において、無線端末は、決定された基準ポイントと、前記複数の無線通信リンクの中の対応する一つに関する可能性がある切り替えポイント、例えばスーパースロット境界との間の所定の基準に基づき、個別のパラメータ切り替えポイントを決定する。サブステップ１０１６は、サブステップ１０１８を含む。サブステップ１０１８において、個別のパラメータ切り替えポイントが決定されるはずの前記複数の無線通信リンクの中の前記一つに対応する、最後の先行する可能性があるパラメータ切り替えポイントを選択する。動作は、ステップ１０１４からステップ１０２０へ進む。
【００９２】
ステップ１０２０において、無線端末は、複数の無線通信リンクに関して古いパラメータから新しいパラメータへ切り替え、前記切り替えは、リンクに対応しかつ格納された切り替えプロトコル情報に対応する決定された切り替えポイントを使用して各リンク毎に生じる。例えば、可能性があるパラメータ切り替えポイントが、スーパースロット境界で生じ、かつ複数のリンクの各々の上のスーパースロット境界に対するタイミング構造が、互いにオフセットされたことを考慮すると、決定されたパラメータ切り替えポイントは、互いにオフセットされる。さらに、古いパラメータから新しいパラメータへ切り替えられるべきパラメータが、暗号キーであり、かつ格納された切り替えプロトコル情報が、単一の暗号キーを使用して符号化されるべき符号化されたトラフィックチャネルのセグメントを必要とすることを考慮する。いくつかの実施形態において使用される以下の例示的な切り替えプロトコル・ルールを考慮する。所定のリンクに関して、セグメントが、パラメータ切り替えポイントの前またはパラメータ切り替えポイントにおいて終了するダウンリンクのセグメントである場合、古いキーが、セグメントに使用される。セグメントが、パラメータ切り替えポイントの後で終了するダウンリンクのセグメントである場合、新たなキーが、使用される。所定のリンクに関して、セグメントが、切り替えポイントの前で開始するアップリンクのセグメントである場合、古いキーが、セグメントに使用される。セグメントが、パラメータ切り替えポイントにおいてまたはパラメータ切り替えポイントの後で開始するアップリンクのセグメントである場合、新たなキーが、使用される。
【００９３】
本発明の例示的な実施形態が、以下に説明される。このセクションは、Ｓｅｃｕｒｉｔｙ  Ａｓｓｏｃｉａｔｉｏｎ  Ｐｒｏｔｏｃｏｌ（ＳＡＰ）の交換の完了に続き、または完了の一部として新たな暗号キー（ｃｉｐｈｅｒ  ｋｅｙ）の作動を含む無線端末−基地局（ＷＴ−ＢＳ）同期に関連する問題を扱う。この処理は、いくつかの実施形態において、電源投入（ｐｏｗｅｒ−ｕｐ）時でもハンドオフ（ｈａｎｄｏｆｆ）時でも、ＳＡＰ段階が行われるときにはいつでも当てはまる。
【００９４】
いくつかの実施形態において、ＳＡＰ交換の最後のメッセージは、ＢＳがＷＴへ送信するＳＡＰ．ＳｅｃｕｒｉｔｙＣｏｎｆｉｒｍメッセージである。このメッセージは、それぞれ「ＡｉｒｌｉｎｋＣｉｐｈｅｒＫｅｙ」および「ＡｉｒｌｉｎｋＩｎｔｅｇｒｉｔｙＫｅｙ」と呼ばれる新たにネゴシエートされる暗号および／または認証キーに切り替えるための基準として使用される情報を担持する、フィールド「ＫｅｙＳｙｎｃＩｎｆｏ」を含む。いくつかの実施形態において、ＡｉｒｌｉｎｋＩｎｔｅｇｒｉｔｙＫｅｙは、使用されずかつ省略されることができる。以下の説明は、ＡｉｒｌｉｎｋＣｉｐｈｅｒＫｅｙの使用について言及する。
【００９５】
ＷＴは、同一のリンクの部分、例えばリンク層リンクである１つ以上の無線エアリンク接続上でデータを送信しかつ／または受信することができる。同一のＡｉｒｌｉｎｋＣｉｐｈｅｒＫｅｙが、古いキーおよび新たなキーの両方が同時に使用されることができる間に、暗号キーが切り替えられる短い時間間隔を除いて、同一のリンクの各接続上のデータ保護のために使用される。暗号化／暗号解除は、各接続の各トラフィックチャネルセグメントに独立に適用される。各セグメントは、ラップアラウンドカウンタ（ｗｒａｐ−ａｒｏｕｎｄ  ｃｏｕｎｔｅｒ）を使用して実装されることができるスーパースロットインデックスによって時間において識別されることができる。このように、スーパースロットインデックスは、所定数の時間スロット後にラップアラウンドする値である。この例示的な実施形態において、スーパースロットは、接続に使用される繰り返しタイミング構造におけるタイミング構造である。一実施形態において、スーパースロットは、例えば０個から１１３個の範囲のインデックス数を有する、固定数、例えば１１４個の連続してインデックス付けされたＯＦＤＭシンボル送信時間周期を含む。いくつかの実施形態において、スーパースロットは、ＯＦＤＭシンボル送信時間周期のより大きなグルーピングにインデックス付けされる。例えば一実施形態において、より大きなグルーピングは、ウルトラスロットであり、前記ウルトラスロットは、例えば０個から１４３個の範囲のインデックス数を有する、固定数、例えば１４４個のインデックス付けされたスーパースロットを含む。スーパースロットのインデックス付けは、１つのウルトラスロットから次のウルトラスロットに繰り返す。
【００９６】
１つの接続を考慮する。暗号化／暗号解読キーは、「ｋｅｙ−ｃｈａｎｇｅ」スーパースロットの開始で変更する。各トラフィックチャネルセグメントに対して、キー変更スーパースロット（ｋｅｙ−ｃｈａｎｇｅ  ｓｕｐｅｒｓｌｏｔ）は、以下のように割り当てられる。各アップリンクトラフィックチャネルセグメントに対して、キー変更スーパースロットは、セグメントが開始するスーパースロットであるように割り当てられる。各ダウンリンクトラフィックチャネルセグメントに対して、キー変更スーパースロットは、セグメントが終了するスーパースロットである。どのキーが、トラフィックチャネルセグメントの暗号化／暗号解除のために使用されるかは、そのセグメントに割り当てられるスーパースロットに依存する。したがって、各接続に関して、新たなキーがいつ与えられるかを識別するために使用される情報は、スーパースロットインデックス、例えば「Ｘ」を含む。トラフィックチャネルセグメントが、ＳＡＰ．ＳｅｃｕｒｉｔｙＣｏｎｆｉｒｍメッセージが受信された後、インデックス「Ｘ」を有する次のスーパースロットの前である割り当てられたスーパースロットを有するなら、古いキーは、そのセグメントを暗号化し／暗号解除するために使用される。トラフィックチャネルセグメントが、ＳＡＰ．ＳｅｃｕｒｉｔｙＣｏｎｆｉｒｍメッセージが受信された後、インデックス「Ｘ」を有する次のスーパースロット、またはより後のスーパースロットである割り当てられたスーパースロットを有するなら、新しいキーは、そのセグメントを暗号化し／暗号解除するために使用される。ＫｅｙＳｙｎｃＩｎｆｏフィールドから各接続に関するスーパースロットインデックス「Ｘ」の計算は、以下でアドレス指定される。
【００９７】
ＫｅｙＳｙｎｃＩｎｆｏフィールドは、４バイト長であり、以下に示されかつ説明される順番で連結される以下の値（接続ＩＤ値、スーパースロットカウンタ（ｃｔｒ）
値、シンボルカウンタ値）からなる。
【表１】
2009521851.tif 000003
【００９８】
ＫｅｙＳｙｎｃＩｎｆｏフィールドは、２バイトの接続識別（ＣＩＤ）フィールドを含み、１バイトのＳｕｐｅｒｓｌｏｔカウンタフィールドが続き、１バイトのＳｙｍｂｏｌカウンタフィールドが続く。２バイトのＣＩＤは、ＣＩＤが続く２つのカウンタが参照する接続のＣＩＤである。１バイトのスーパースロットカウンタは、ウルトラスロット内のＳｕｐｅｒｓｌｏｔカウンタであり、すなわち、キー変更がこの接続に関して行われるべき開始でのスーパースロットのインデックスである。時には、このカウンタは、「ＵｌｔｒａｓｌｏｔＳｕｐｅｒｓｌｏｔＩｎｄｅｘ」と呼ばれる。１バイトのシンボルカウンタは、スーパースロット内のＳｙｍｂｏｌカウンタであり、すなわち、キー変更が同一のリンクの下の他の接続の各々に関して行われるべきとき、スーパースロット数の計算を可能にするスーパースロット内のシンボルのインデックスである。時には、このカウンタは、「ＳｕｐｅｒｓｌｏｔＯＦＤＭＳｙｍｂｏｌＩｎｄｅｘ」と呼ばれる。
【００９９】
サブフィールド「Ｓｕｐｅｒｓｌｏｔ  Ｃｔｒ」および「Ｓｙｍｂｏｌ  Ｃｔｒ」の両方における２５５の値は、暗号化キーが、ＳＡＰ．ＳｅｃｕｒｉｔｙＣｏｎｆｉｒｍメッセージを受信するとき即座にＷＴによって切り替えられるべきであることを示すために使用される。この設定は、ＳＡＰ交換が、ネットワークアクセス動作の一部として行われるときに、すなわちＷＴが、このＢＳで前のキーを有していないときに使用される。
【０１００】
キー変更スーパースロットインデックス「Ｘ」は、例示的な実施形態において、以下のようにＫｅｙＳｙｎｃＩｎｆｏフィールドから計算される。
【０１０１】
ＫｅｙＳｙｎｃＩｎｆｏフィールドの第１の値のフィールドで運ばれるＣＩＤを有する接続（「Ｃ０」と名付けられる）に関して、スーパースロット「Ｘ０」は、ＫｅｙＳｙｎｃＩｎｆｏフィールドにおけるスーパースロットカウンタ（すなわち、第２の値）である。
【０１０２】
各追加の接続「Ｃｉ」に関して、スーパースロット「Ｓｉ」のそのシンボル「Ｙｉ」は、スーパースロット０の接続「Ｃ０」のシンボル０と時間において整列するなら、Ｘｉ＝ｍｏｄ（Ｘ０＋Ｓｉ＋ｆｌｏｏｒ（（Ｙ０＋Ｙｉ）／ＳＳ＿ＳＹＭＢＯＬＳ），ＵＳ＿ＳＵＰＥＲＳＬＯＴＳ）であり、ここで「Ｙ０」は、ＫｅｙＳｙｎｃＩｎｆｏフィールドにおけるシンボルカウンタであり、ＳＳ＿ＳＹＭＢＯＬＳは、スーパースロットにおけるシンボルの全数であり、ＵＳ＿ＳＵＰＥＲＳＬＯＴＳは、ウルトラスロットにおけるスーパースロットの全数である。いくつかの実施形態において、ＳＳ＿ＳＹＭＢＯＬＳ＝１４４であり、ＵＳ＿ＳＵＰＥＲＳＬＯＴＳ＝１４４である。
【０１０３】
いくつかの実施形態において、２つの接続のシンボルが正確に整列しないことがあるので、上記第２のバレット（ｂｕｌｌｅｔ）のＹｉの値に曖昧性が存在することがあることに留意されたい。この場合を扱うために、基地局は、曖昧性が関係しないように、すなわち同一のＸｉが、いずれの可能なＹｉがＷＴによって仮定されるかを結果として生じるように、シンボルカウンタサブフィールドを選択する。さらに、基地局は、ＷＴが、キーを切り替える時間が来る前にＳＡＰ．ＳｅｃｕｒｉｔｙＣｏｎｆｉｒｍメッセージを首尾よく受信することを確実にするように、少なくとも十分な数のスーパースロット、例えばスーパースロット４０個分先までの時間に対応するＫｅｙＳｙｎｃＩｎｆｏを生成する。基地局は、多くともＵＳ＿ＳＵＰＥＲＳＬＯＴＳ−１先までの時間に対応するＫｅｙＳｙｎｃＩｎｆｏを生成する。例えば、ウルトラスロット毎に１４４個のスーパースロットが存在する例示的な実施形態において、多くともスーパースロット１４３個分先までである時間に対応するＫｅｙＳｙｎｃＩｎｆｏを生成する。
【０１０４】
スーパースロットインデックス「Ｘ」の計算の例は、以下に説明される。２バイトのＣＩＤフィールドは、接続０に関連付けられる符号が付けられていない整数値を含み、スーパースロットカウンタフィールドは、符号が付けられていない整数値＝１０２を含み、シンボルカウンタフィールドは、符号が付けられていない整数値＝２１を含む。
【０１０５】
ＳＳ＿ＳＹＭＢＯＬＳ＝１４４、ＵＳ＿ＳＵＰＥＲＳＬＯＴＳ＝１４４であり、他の接続Ｃ１が、以下のように名付けられた接続Ｃ０と整列されると仮定する。スーパースロットＳ１＝３６のシンボルＹ１＝９９は、スーパースロット０のＣＯのシンボル０と整列する。ＫｅｙＳｙｎｃＩｎｆｏから、Ｘ０＝１０２およびＹ０＝２１である。次に、スーパースロットＸ１を計算するために、Ｘ１＝ｍｏｄ（１０２＋３６＋ｆｌｏｏｒ（（２１＋９９）／１４４），１４４）＝１３９である。
【０１０６】
したがって、接続Ｃ１に関して、新たなキーが、次のスーパースロット数１３９での開始に与えられる。
【０１０７】
本発明により、基地局は、ＫｅｙＳｙｎｃＩｎｆｏを生成し、無線端末に情報を通信する。生成方法は、新たなキー適用が、同一のリンクに対応する１つ以上の接続の各々に対してどこで生じるかを決定するときに無線端末で曖昧性がないように、シンボルカウンタ値を選択することを含む。無線端末は、新たなキーが、同一のリンクに対応する１つ以上の接続の各々に対して開始されるときを決定する通信されたＫｅｙＳｙｎｃＩｎｆｏを受信しかつ通信する。
【０１０８】
本発明の技法は、ソフトウェア、ハードウェア、および／またはソフトウェアとハードウェアとの組合せを使用して実施されることができる。本発明は、装置、例えば本発明を実施する移動体端末、基地局、通信システムなどの移動体ノードに向けられる。本発明は、また、方法、例えば本発明により、移動体ノード、基地局、および／または通信システム、例えばホストを制御しかつ／または動作する方法に向けられる。本発明は、また、本発明による１つ以上のステップを実施するために機械を制御する機械可読命令を含む、機械可読媒体、例えばＲＯＭ、ＲＡＭ、ＣＤ、ハードディスクなどに向けられる。
【０１０９】
様々な実施形態において、本明細書に説明されるノードは、本発明の１つ以上の方法に対応するステップ、例えば信号処理、メッセージ生成、および／または送信ステップを実行するために、１つ以上のモジュールを使用して実施される。したがって、いくつかの実施形態において、本発明の様々な特徴は、モジュールを使用して実施される。そのようなモジュールは、ソフトウェア、ハードウェア、および／またはソフトウェアとハードウェアとの組合せを使用して実施されることができる。上述の方法または方法ステップの多くは、例えば１つ以上のノードにおいて上述の方法のすべてまたは一部を実施するために、機械、例えば追加のハードウェアを有するまたは有さない汎用コンピュータを制御するために、メモリデバイス、例えばＲＡＭ、フロッピー（登録商標）ディスクなどに含まれる、ソフトウェアなどの機械で実施可能な命令を使用して実施されることができる。したがってとりわけ、本発明は、機械、例えばプロセッサおよび結合されるハードウェアに、上述の方法の１つ以上のステップを実行させるための機械で実行可能な命令を含む機械可読媒体に向けられる。
【０１１０】
ＯＦＤＭシステムに関連して説明されたが、本発明の方法および装置の少なくともいくつかは、多くの非ＯＦＤＭおよび／または非セルラシステムを含む広範な通信システムに適用可能である。
【０１１１】
上述された本発明の方法および装置への多数の追加の変形は、本発明の上記記載を考慮して当業者には明らかである。そのような変形は、本発明の範囲内であると考えられる。本発明の方法および装置は、ＣＤＭＡ、直交周波数分割多重化（ＯＦＤＭ）、および／またはアクセスノードと移動体ノードとの間に無線通信リンクを提供するために使用されることができる様々なタイプの他の通信技術であることができ、かつ様々な実施形態においてそれらとともに使用されることができる。いくつかの実施形態において、アクセスノードは、ＯＦＤＭおよび／またはＣＤＭＡを使用して移動体ノードとの通信リンクを確立する基地局として実施される。様々な実施形態において、移動体ノードは、ノートブックコンピュータ、個人情報端末（ＰＤＡ）、または本発明の方法を実施するための受信器／送信器回路および論理および／またはルーチンを含む他の携帯装置として実施される。
【図面の簡単な説明】
【０１１２】
【図１】本発明により実施される例示的な通信システムを示す図。
【図２】本発明による方法を使用する、本発明により実施される例示的な基地局を示す図。
【図３】本発明による方法を使用する、本発明により実施される例示的な無線端末、例えば移動体ノードを示す図。
【図４】本発明の様々な特徴を示すために使用され、本発明による方法を使用し、本発明により実施される例示的な無線通信システムの部分を示す図。
【図５】本発明による例示的なパラメータ切り替えを示す図。
【図６】本発明による例示的なパラメータ切り替えを示す他の図。
【図７】本発明による方法を使用し、本発明に従って実施される例示的な無線通信システムを示す図。
【図８】本発明に従う例示的なパラメータ切り替えを示す図。
【図９】本発明に従って基地局を動作するための例示的な方法のフローチャートを示す図。
【図１０】本発明に従ってパラメータ切り替えポイント情報を受信しかつ処理するために、無線端末を動作する例示的な方法のフローチャートを示す図。
【図１】
2009521851.tif 000004
【図２】
2009521851.tif 000005
【図３】
2009521851.tif 000006
【図４】
2009521851.tif 000007
【図５】
2009521851.tif 000008
【図６】
2009521851.tif 000009
【図７】
2009521851.tif 000010
【図８】
2009521851.tif 000011
【図９】
2009521851.tif 000012
【図１０】
2009521851.tif 000013
【国際調査報告】
2009521851.tif 000014
2009521851.tif 000015
2009521851.tif 000016